(57)【要約】      （修正有）【課題】Ｎ個のシンボルを備えるサブフレームの複数シンボルにおける第１及び第２タイプの同期信号において改善された同期性能を提供する。【解決手段】送信機は第１タイプの同期信号をＮ個のシンボルを備えるサブフレームのどのＭ１個のシンボルｌｉにおいて送信するべきかを決定し４０１、第２タイプの同期信号はシンボルｌｉから１又は複数のシンボル距離に配置することによりサブフレームのどのＭ２個のシンボルｋｊにおいて送信されるべきかを計算し４０２、決定されたシンボルｌｉ及びｋｊにおいて、第１及び第２タイプの同期信号を送信する４０３。【選択図】図４
2018078607.tif 000002
【特許請求の範囲】
【請求項１】
サブフレームの０≦ｉ≦（Ｍ１−１）であるＭ１個のシンボルｌｉにおいて第１タイプの同期信号を、および、前記サブフレームの０≦ｊ≦（Ｍ２−１）であるＭ２個のシンボルｋｊにおいて第２タイプの同期信号を送信する送信機であって、
前記サブフレームのどのＭ１個のシンボルｌｉにおいて前記第１タイプの前記同期信号が送信されるべきかを決定し、加えて、前記サブフレームのどのＭ２個のシンボルｋｊにおいて前記第２タイプの前記同期信号が送信されるべきかを決定するプロセッサーであって、前記Ｍ２個のシンボルｋｊのそれぞれは、関連するシンボルｌｉからの１または複数のシンボル距離に配置され、前記Ｍ２個のシンボルｋｊのそれぞれと、それぞれの関連するシンボルｌｉとの間の前記１または複数のシンボル距離は、前記サブフレーム中の前記Ｍ１個のシンボルｌｉの全てについて等しい、プロセッサーと、
前記サブフレームの前記決定されたＭ１個のシンボルｌｉにおいて前記第１タイプの複数の前記同期信号を送信し、前記サブフレームの前記決定されたＭ２個のシンボルｋｊにおいて前記第２タイプの複数の前記同期信号を送信する送信回路とを備え、
前記サブフレームは、Ｎ≧Ｍ２≧Ｍ１≧２であるＮ個のシンボルを備え、
前記Ｍ１個のシンボルｌｉは、ｌｉ＋１＝ｌｉ＋１となるように、複数の後続のシンボルｌｉに隣接して位置付けられると決定される、
送信機。
【請求項２】
前記決定されたＭ１個のシンボルｌｉと、前記関連するＭ２個のシンボルｋｊのそれぞれとの間の前記１または複数のシンボル距離は、前記シンボルｌｉ、ｋｊのサイクリックプレフィックスの後の第１時間インスタンスから決定される
請求項１に記載の送信機。
【請求項３】
前記Ｍ２個のシンボルｋｊのそれぞれと、前記それぞれの関連するシンボルｌｉとの間の前記１または複数のシンボル距離は、受信機が知る１セットの整数オフセット値Δｊに基づいて、
ｋｊ＝ｌｉ＋Δｊ，∀ｌｉ
となるように決定され、
式中、｜Δｊ｜＞０、（ｋｊ，ｌｉ）∈｛０，１，...，Ｎ−１｝である、
請求項１または２に記載の送信機。
【請求項４】
前記プロセッサーは、
｜Δ｜＝１、２、または３
となるように、前記１セットの整数オフセット値Δｊを確立する、
請求項３に記載の送信機。
【請求項５】
前記Ｍ１個のシンボルｌｉは等しいサイクリックプレフィックス長を有する、または、前記Ｍ２個のシンボルｋｊは等しいサイクリックプレフィックス長を有する、または、前記Ｍ１個のシンボルｌｉは等しいサイクリックプレフィックス長を有し、且つ前記Ｍ２個のシンボルｋｊは等しいサイクリックプレフィックス長を有する、
請求項１から４の何れか一項に記載の送信機。
【請求項６】
シンボルｌｉ、ｋｊの数は、Ｍ１＝Ｍ２となるように前記第１タイプの同期信号および前記第２タイプの同期信号について同じであり、前記１セットの整数オフセット値Δｊは、１つのオフセット値を備える、
請求項３から５の何れか一項に記載の送信機。
【請求項７】
シンボルｋｊのＭ２の数は、シンボルｌｉのＭ１の数を超えており、１セットのオフセット値Δｊは、
ｋｊ＝ｌｉ＋Δｊ
となるように、前記Ｍ２個のシンボルｋｊのそれぞれと、前記それぞれの関連するシンボルｌｉとの間のそれぞれのシンボル距離を画定する複数の別個の整数オフセット値Δｊを備え、
式中、Δｊ∈｛０，１，...，Ｎ−１｝である、
請求項１から６の何れか一項に記載の送信機。
【請求項８】
前記第１タイプの同期信号及び前記第２タイプの同期信号は、デバイスツーデバイス、Ｄ２Ｄ、通信専用であり、前記送信機は、非固定的なユニットを含む
請求項１から７の何れか一項に記載の送信機。
【請求項９】
前記送信機は、第３世代パートナーシッププロジェクトロングタームエボリューション、３ＧＰＰ  ＬＴＥシステム、内で動作するユーザ機器、ＵＥ、であり、前記第１タイプの複数の前記同期信号は、複数の１次サイドリンク同期信号を含み、前記第２タイプの複数の前記同期信号は、複数の２次サイドリンク同期信号を含む、
請求項１から８の何れか一項に記載の送信機。
【請求項１０】
前記第１タイプの同期信号および前記第２タイプの同期信号のうち少なくとも１つは、直交周波数分割多重、ＯＦＤＭ、または、単一搬送波周波数分割多元接続、ＳＣ−ＦＤＭＡ、の何れかに基づく、
請求項１から９の何れか一項に記載の送信機。
【請求項１１】
サブフレームの０≦ｉ≦（Ｍ１−１）であるＭ１個のシンボルｌｉにおける第１タイプの同期信号、および、前記サブフレーム中の０≦ｊ≦（Ｍ２−１）であるＭ２個のシンボルｋｊを備える第２タイプの同期信号を送信するための送信機における方法であって、
前記サブフレームのどのＭ１個のシンボルｌｉにおいて前記第１タイプの前記同期信号が送信されるべきかを決定する段階と、
前記サブフレームのどのＭ２個のシンボルｋｊにおいて前記第２タイプの前記同期信号が送信されるべきかを決定する段階であって、前記Ｍ２個のシンボルｋｊのそれぞれは、関連するシンボルｌｉから１または複数のシンボル距離に配置され、前記Ｍ２個のシンボルｋｊのそれぞれと、それぞれの関連するシンボルｌｉとの間の前記１または複数のシンボル距離は、前記サブフレーム中の前記Ｍ１個のシンボルｌｉの全てと、それらのそれぞれの関連するＭ２個のシンボルｋｊとの間で等しい、決定する段階と、
前記サブフレームの前記決定されたＭ１個のシンボルｌｉにおいて前記第１タイプの前記同期信号を、および前記サブフレームの前記決定されたＭ２個のシンボルｋｊにおいて前記第２タイプの前記同期信号を送信する段階と、を備え、
前記サブフレームは、Ｎ≧Ｍ２≧Ｍ１≧２であるＮ個のシンボルを備え、
前記Ｍ１個のシンボルｌｉは、ｌｉ＋１＝ｌｉ＋１となるように、複数の後続のシンボルｌｉに隣接して位置付けられると決定される、
方法。
【請求項１２】
前記決定されたＭ１個のシンボルｌｉと前記関連するＭ２個のシンボルｋｊのそれぞれとの間の前記１または複数のシンボル距離は、前記シンボルｌｉ、ｋｊのサイクリックプレフィックスの後の第１時間インスタンスから決定される
請求項１１に記載の方法。
【請求項１３】
前記Ｍ１個のシンボルｌｉは等しいサイクリックプレフィックス長を有する、または、前記Ｍ２個のシンボルｋｊは等しいサイクリックプレフィックス長を有する、または、前記Ｍ１個のシンボルｌｉは等しいサイクリックプレフィックス長を有し、且つ前記Ｍ２個のシンボルｋｊは等しいサイクリックプレフィックス長を有する、
請求項１１または１２に記載の方法。
【請求項１４】
シンボルｌｉ、ｋｊの数は、Ｍ１＝Ｍ２となるように第１タイプおよび第２タイプの同期信号について同じであり、１セットの整数オフセット値Δｊは１つのオフセット値を備える、
請求項１１から１３の何れか一項に記載の方法。
【請求項１５】
サブフレームの０≦ｉ≦（Ｍ１−１）であるＭ１個のシンボルｌｉにおいて、受信された第１タイプの同期信号を、および、Ｎ≧Ｍ２≧Ｍ１≧２であるＮ個のシンボルを備える前記サブフレームにおいて受信される、０≦ｊ≦（Ｍ２−１）であるＭ２個のシンボルｋｊにおいて第２タイプの同期信号を検出する受信機であって、
前記サブフレームのどのＭ１個のシンボルｌｉにおいて前記第１タイプの前記同期信号が受信されるかを決定し、前記サブフレームのどのＭ２個のシンボルｋｊにおいて前記第２タイプの前記同期信号が検出されるべきかを決定するプロセッサーであって、１または複数のシンボル距離は、前記Ｍ２個のシンボルｋｊのそれぞれと、関連するシンボルｌｉとの間で確立され、前記Ｍ２個のシンボルｋｊのそれぞれと、それぞれの関連するシンボルｌｉとの間の前記１または複数のシンボル距離は、前記サブフレーム中の前記Ｍ１個のシンボルｌｉの全てについて等しい、プロセッサーを備え、
前記Ｍ１個のシンボルｌｉは、ｌｉ＋１＝ｌｉ＋１となるように、複数の後続のシンボルｌｉに隣接して位置付けられると決定される、
受信機。
【請求項１６】
前記決定されたＭ１個のシンボルｌｉと、前記関連するＭ２個のシンボルｋｊのそれぞれとの間の前記１または複数のシンボル距離は、前記シンボルｌｉ、ｋｊのサイクリックプレフィックスの後の第１時間インスタンスから決定される、
請求項１５に記載の受信機。
【請求項１７】
前記Ｍ１個のシンボルｌｉは等しいサイクリックプレフィックス長を有する、または、前記Ｍ２個のシンボルｋｊは等しいサイクリックプレフィックス長を有する、または、前記Ｍ１個のシンボルｌｉは等しいサイクリックプレフィックス長を有し、且つ前記Ｍ２個のシンボルｋｊは等しいサイクリックプレフィックス長を有する、
請求項１５または１６に記載の受信機。
【請求項１８】
シンボルｌｉ、ｋｊの数は、Ｍ１＝Ｍ２となるように、前記第１タイプの同期信号および前記第２タイプの同期信号について同じであり、１セットの整数オフセット値Δｊは、１つのオフセット値を備える、
請求項１５から１７の何れか一項に記載の受信機。
【請求項１９】
サブフレームの０≦ｉ≦（Ｍ１−１）であるＭ１個のシンボルｌｉにおける第１タイプの同期信号、および、サブフレームにおいて受信される、Ｍ２個のシンボルｋｊにおける第２タイプの同期信号を検出するための、受信機における方法であって、
前記サブフレームのどのＭ１個のシンボルｌｉにおいて前記第１タイプの前記同期信号が受信されるかを決定する段階と、
前記サブフレームのどのＭ２個のシンボルｋｊにおいて前記第２タイプの前記同期信号が受信されるべきかを決定する段階であって、１または複数のシンボル距離は、前記Ｍ２個のシンボルｋｊのそれぞれと、関連するシンボルｌｉとの間で確立され、前記Ｍ２個のシンボルｋｊのそれぞれと、それぞれの関連するシンボルｌｉとの間の前記１または複数のシンボル距離は、前記サブフレーム中の前記Ｍ１個のシンボルｌｉの全てについて等しい、決定する段階と、
前記サブフレームの前記決定されたＭ２個のシンボルｋｊにおいて前記第２タイプの前記Ｍ２個の前記同期信号を検出する段階と、を備え、
前記サブフレームは、Ｎ≧Ｍ２≧Ｍ１≧２であるＮ個のシンボルを備え、
前記Ｍ１個のシンボルｌｉは、ｌｉ＋１＝ｌｉ＋１となるように、複数の後続のシンボルｌｉに隣接して位置付けられると決定される、
方法。
【請求項２０】
前記決定されたＭ１個のシンボルｌｉと前記関連するＭ２個のシンボルｋｊのそれぞれとの間の前記１または複数のシンボル距離は、前記シンボルｌｉ、ｋｊのサイクリックプレフィックスの後の第１時間インスタンスから決定される、
請求項１９に記載の方法。
【請求項２１】
前記Ｍ１個のシンボルｌｉは等しいサイクリックプレフィックス長を有する、または、前記Ｍ２個のシンボルｋｊは等しいサイクリックプレフィックス長を有する、または、前記Ｍ１個のシンボルｌｉは等しいサイクリックプレフィックス長を有し、且つ前記Ｍ２個のシンボルｋｊは等しいサイクリックプレフィックス長を有する、
請求項１９または２０に記載の方法。
【請求項２２】
シンボルｌｉ、ｋｊの数は、Ｍ１＝Ｍ２となるように、前記第１タイプの同期信号および前記第２タイプの同期信号について同じであり、１セットの整数オフセット値Δｊは、１つのオフセット値を備える、
請求項１９から２１の何れか一項に記載の方法。
【請求項２３】
送信機におけるコンピュータプログラムであって、コンピュータにおいて実行する場合に、請求項１１から１４の何れか一項に記載の方法を実行するためのプログラムコードを備えるコンピュータプログラム。
【請求項２４】
受信機におけるコンピュータプログラムであって、コンピュータにおいて実行する場合に、請求項１９から２２の何れか一項に記載の方法を実行するためのプログラムコードを備えるコンピュータプログラム。
【発明の詳細な説明】
【技術分野】
【０００１】
本明細書において説明される複数の実施例は、概して、送信機、送信機における方法、受信機、および受信機における方法に関する。特に、第１タイプの同期信号および第２タイプの同期信号を送信するためのメカニズムが本明細書において説明される。
【背景技術】
【０００２】
無線通信システムにおいて、送信機および受信機は、通信するために、時刻および周波数について同期されなければならない。典型的には、これは、受信機が検出し得る同期信号を送信機に送信させることによって実現される。例えば、セルラー移動通信システムにおいて、複数の同期信号は、ユーザ機器（ＵＥ）がセルとの時刻同期および周波数同期を取得し、そのセルＩＤを検出する手順であるセルサーチに使用される。ＵＥは、場合により、モバイル端末、無線端末、移動局、携帯電話、セルラー電話等と称され得る。
【０００３】
無線通信システムは、複数のセルエリアに分割され得る地理的なエリアをカバーする。各セルエリアは、いくつかのネットワークにおいては、使用される技術および／または専門用語に応じて、「ｅＮＢ」、「ｅＮｏｄｅＢ」、「ＮｏｄｅＢ」、または「Ｂノード」と称され得る、無線ネットワークノードまたは基地局、例えば、無線基地局（ＲＢＳ）またはベーストランシーバ基地局（ＢＴＳ）、の配下である。しかしながら、場合により、通信は複数の移動局の間で直接的に行われ、直接的に、または他の複数の移動局を介して行われ得る。そのような通信パラダイムは、場合により、デバイスツーデバイス（Ｄ２Ｄ）通信と称される。Ｄ２Ｄ通信は、セルラーインフラストラクチャの存在する状態、および／または、存在しない状態の両方において可能であろう。
【０００４】
いくつかの同期信号が規定され得る。そのそれぞれは自身の特定の目的を果たす。例えば、あるタイプの信号はサンプルレベルでタイミング同期を取得すべく設計され得、別のタイプの同期信号は、例えば、サブフレームまたは無線フレームのレベルの同期を取得すべく、追加の情報を提供し得る。概して、同期を取得するプロセスは、計算機負荷が重く、受信機の電力消費の一因であると同時に、そのチップセットのコストのかなりの部分を占める。よって、複数の同期信号は、受信機における複雑性の低い実装を提供するよう設計されなくてはならないことが理解される。
【０００５】
複数の特定の適用例において、複数の同期信号を複数のバーストで送信することが望ましい場合がある。つまり、いくつかの同期信号は、短い時間、すなわちバーストで送信され得るが、複数のバーストの期間は比較的長くてよい。これにより、受信機が、比較的短い時間で、すなわち、たった一回の同期バーストを受信することにより、同期を取得することが可能となる。図８Ａは、バーストが、バースト内の複数の同期シンボルのシンボル間間隔に比較して長いバースト期間を有しながら、複数の同期信号を伝送するいくつかの直交周波数分割多重（ＯＦＤＭ）シンボル、或いは、単一搬送波周波数分割多元接続（ＳＣ−ＦＤＭＡ）シンボルを含む例を示す。ゆえに、バースト送信の直接的な結論は、同期信号を含む複数のＯＦＤＭ／ＳＣ−ＦＤＭＡシンボルの間の距離は均一でなくてもよい、ということである。これは、同期信号が、等距離に配置された複数のＯＦＤＭ／ＳＣ−ＦＤＭＡシンボルで送信される周期的送信とは対照的である。
【０００６】
複数の同期信号のバースト送信は、例えば、動的に変化するトラフィック負荷に適応すべく、複数のセルの高速なオン／オフの切り替えを使用するシステムにおいては効率的である場合がある。セルがオンに切り替えられたならば、複数の受信機はそのセルに迅速に同期し得、セルからの同期信号のバースト送信を望ましいものにする。
【０００７】
さらなる例は、デバイスツーデバイス（Ｄ２Ｄ）通信である。Ｄ２Ｄ通信において、モバイル端末は同期信号を送信中であり、同期信号は、そのモバイル端末の近辺の別のモバイル端末によって検出されるべきである。送信電力を節約すべく、同期信号を複数のバーストで送信することが望ましく、そのことにより、複数のバーストの間で電力増幅器が作動を停止させられることが可能になる。また、複数の同期信号を複数のバーストに集中させることも望ましい。なぜなら、セルラー通信、すなわち、非Ｄ２Ｄ通信が利用可能な複数の時間−周波数リソースに与える影響を最小限にするからである。
【０００８】
ロングタームエボリューション（ＬＴＥ）システム内のＤ２Ｄ通信に関して、（セルラー通信用のアップリンクおよびダウンリンクとは対照的に）サイドリンク通信の考えが使用される。複数の同期ソースは、複数のサイドリンク同期信号を送信するであろう。複数のサイドリンク同期信号は、一サブフレーム内で、すなわち、バーストで、送信されるよう制約される。複数のサイドリンク同期信号は、複数のＳＣ−ＦＤＭＡ信号として生成される。ＯＦＤＭシンボルおよびＳＣ−ＦＤＭＡシンボルの考えは、開示される複数の解決法に影響を与えることなく、本明細書において互換的に使用され得る。サブフレームは、１ｍｓの長さであってよく、サイクリックプレフィックス長に応じて、例えば、１２または１４個のＳＣ−ＦＤＭＡシンボルを備える。さらに、複数のサイドリンク同期信号は、１次サイドリンク同期信号を有する２つのＳＣ−ＦＤＭＡシンボルと、２次サイドリンク同期信号を有する２つのＳＣ−ＦＤＭＡシンボルとを備え得る。１次サイドリンク同期信号を有するそれらのＳＣ−ＦＤＭＡシンボルは両方とも、検出器内に効率的な複数のマッチドフィルタを収容するよう設計される、同じ変調シーケンスを使用する。２次サイドリンク同期信号のＳＣ−ＦＤＭＡシンボルは、受信機にさらなる情報、例えば、サブフレームタイミング、を提供し得る、複数の異なる変調シーケンスを使用し得る。概して、複数のサイドリンク同期信号は、例えば、物理層サイドリンク同期識別情報、同期ソースタイプ（例えば、ｅＮｏｄｅＢ、ＵＥ、または中継装置である場合）、および／または、サイドリンク同期信号が送信された複数のＤ２Ｄ  ＵＥの間のホップ数などの情報を伝達し得る。
【０００９】
従来技術のＬＴＥシステムにおいては、１次同期信号（Ｐｒｉｍａｒｙ  Ｓｙｎｃｈｒｏｎｉｓａｔｉｏｎ  Ｓｉｇｎａｌ）（ＰＳＳ）および２次同期信号（Ｓｅｃｏｎｄａｒｙ  Ｓｙｎｃｈｒｏｎｉｓａｔｉｏｎ  Ｓｉｇｎａｌ）（ＳＳＳ）は、それぞれ５ｍｓ毎にＯＦＤＭシンボルにおいて送信され、バーストの考えはないことに注意されたい。ゆえに、２つの連続的なＰＳＳ（またはＳＳＳ）のＯＦＤＭシンボル間の距離は、従来技術によると、常に５ｍｓである。
【００１０】
１次サイドリンク同期信号および２次サイドリンク同期信号のＳＣ−ＦＤＭＡシンボルの位置は、重要であり、受信機における同期ユニットの複雑性の低い実装を可能にすべく、慎重に選択されるであろう。いくつかの従来技術の実施形態において、１次サイドリンク同期信号は、ＳＣ−ＦＤＭＡシンボル６および７において連続的に位置付けられ、２次サイドリンク同期信号は、ＳＣ−ＦＤＭＡシンボル１および１２に位置付けられ得る。図８Ｂを参照されたい。
【００１１】
しかしながら、図８Ｂに開示される配置は、いくつかの理由で、受信機における複雑性の減少を表すものではない。受信機が、１次サイドリンク同期信号を検出することによって、複数のＯＦＤＭ／ＳＣ−ＦＤＭＡシンボルタイミングを取得したならば、受信機は、サブフレームタイミング、すなわち、どのＯＦＤＭ／ＳＣ−ＦＤＭＡシンボルにおいてサブフレームが開始／停止するか、を取得すべく、２次サイドリンク同期信号の検出を進めるであろう。それから、受信機は、１次サイドリンク同期信号を、受信機がチャネルを推定し得る、既知の基準シンボルと見なし得る。それから、受信機は、１次サイドリンク同期信号からの複数のチャネル推定値を使用して、複数の２次サイドリンク同期信号をコヒーレントに検出することが可能となる。時変チャネルにおいて、基準シンボル、すなわち、１次サイドリンク同期信号は、データシンボル、すなわち、受信機がチャネル推定値を提供すべき２次サイドリンク同期信号、に近接して位置付けられることが必要である。図８Ｂにおいて、１次サイドリンク同期信号と２次サイドリンク同期信号との間の最小距離は、５個のＯＦＤＭ／ＳＣ−ＦＤＭＡシンボルであり、そのことは、送信機および／または受信機が動き回る場合はチャネル推定値が最新のものでなくなることがあるので、有益ではない。この制約があるがゆえに、受信機は非コヒーレントな２次サイドリンク同期信号検出の使用を必要とし得、その結果、より性能を悪化させることとなる。Ｄ２Ｄ通信に関して、セルラー通信システムとは対照的に、送信機および受信機の両方は移動中であり得ることに注意されたい。
【００１２】
さらに、受信機が１次サイドリンク同期信号を検出しているとき、典型的には、受信機は、出力が相関値であるマッチドフィルタを使用している。サブフレーム中には２つの１次サイドリンク同期信号シンボルが存在するが、ノイズおよびチャネルフェーディング（ｃｈａｎｎｅｌ  ｆａｄｉｎｇ）に起因して、受信機は、必ずしも２つの相関ピークを検出するとは限らない。ゆえに、受信機は、２つの１次サイドリンク同期信号シンボルのうちのどちらを検出したかを知り得ない。図８Ｂにおいて、シンボル１における２次サイドリンク同期信号と、シンボル６および７のそれぞれにおける１次サイドリンク同期信号との間のＯＦＤＭ／ＳＣ−ＦＤＭＡシンボルの距離は異なる、すなわち、それぞれ４個のＯＦＤＭ／ＳＣ−ＦＤＭＡシンボル、および５個のＯＦＤＭ／ＳＣ−ＦＤＭＡシンボルである。シンボル１２における２次サイドリンク同期信号についても同じ観測結果が成り立つ。したがって、受信機が１次サイドリンク同期信号の相関ピークを検出した場合、受信機は２次サイドリンク同期信号をブラインド検出する必要があるだろう。なぜなら、受信機は、どの１次サイドリンク同期信号シンボルが検出されたかを知らず、その結果として、どのＯＦＤＭ／ＳＣ−ＦＤＭＡシンボルに２次サイドリンク同期信号が位置付けられているのかを知らないであろうからである。ブラインド検出は、受信機における複雑性を増大させ、また、２次サイドリンク同期信号検出の性能をより悪くする。
【００１３】
図８Ｂの配置はまた、送信機における送信電力の節約にとっても有益ではない。なぜなら、１次サイドリンク同期信号シンボルおよび２次サイドリンク同期信号シンボルが、サブフレーム全体にわたって広がるからである。これにより、バッテリ電力を節約すべく電力増幅器の電源をオフにすることがより困難になる。
【００１４】
したがって、送信機と受信機との間の同期性能を改善すべく、複数の同期信号のための複数のシンボルの位置、および、複数の同期信号の送信が改善され得る。
【発明の概要】
【００１５】
ゆえに、上述された欠点のうちの少なくともいくつかを取り除き、サブフレームの複数のシンボルにおいて第１および第２同期信号を提供することが本発明の目的である。
【００１６】
本目的および複数の他の目的は、添付の複数の独立請求項の複数の特徴によって実現される。さらなる複数の実装形態が、複数の従属請求項、説明、および複数の図面から明らかである。
【００１７】
第１態様によると、送信機が提供される。当該送信機は、サブフレームの０≦ｉ≦（Ｍ１−１）であるＭ１個のシンボルｌｉにおいて第１タイプの同期信号を、および、サブフレームの０≦ｊ≦（Ｍ２−１）であるＭ２個のシンボルｋｊにおいて第２タイプの同期信号を送信するよう構成される。当該サブフレームは、Ｎ≧Ｍ２≧Ｍ１≧２であるＮ個のシンボルを備える。当該送信機は、サブフレームのどのシンボルｌｉにおいて第１タイプの同期信号が送信されるべきかを決定するよう構成されるプロセッサーを備える。当該プロセッサーは、Ｍ２個のシンボルｋｊのそれぞれを、関連するシンボルｌｉから１または複数の決定されたシンボル距離に配置することによって、サブフレームのどのシンボルｋｊにおいて第２タイプの同期信号が送信されるべきかを計算するようさらに構成される。Ｍ２個のシンボルｋｊのそれぞれと、それぞれの関連するシンボルｌｉとの間の当該１または複数の決定されたシンボル距離は、サブフレーム中のＭ１個のシンボルｌｉの全てについて等しい。加えて、当該送信機はまた、サブフレームの決定されたＭ１個のシンボルｌｉにおいて第１タイプの複数の同期信号を送信し、サブフレームの計算されたＭ２個のシンボルｋｊにおいて第２タイプの複数の同期信号を送信するよう構成される送信回路を備える。
【００１８】
それによる利点は、受信機が、ブラインド検出を実行する必要なく、第２タイプの同期信号を容易に検出することを可能とされることである。第１タイプの同期信号を保持する各シンボルと、第２タイプの同期信号を保持する各シンボルとの間の距離が一定であるおかげで、受信機は、第２タイプの同期信号を検出すべく、第１タイプの同期信号を保持する複数のシンボルのうちのどのシンボルが検出されたかを知る必要がない。それにより、送信機と受信機との間の同期を改善しながら、受信機によって時間、エネルギー、および演算用の電力が節約される。したがって、効率的であり、それでいて容易に実装される、送信機および受信機の同期が実現される。
【００１９】
第１態様に係る送信機の第１の可能な実施例において、決定されたＭ１個のシンボルｌｉと、関連するＭ２個のシンボルｋｊのそれぞれとの間の１または複数のシンボル距離は、シンボルｌｉ、ｋｊのサイクリックプレフィックスの後の第１時間インスタンスから決定され得る。
【００２０】
第１タイプの同期信号の第１サンプルと、第２タイプの同期信号の第１サンプルとの間隔を、複数の第１タイプの同期信号を含む全てのシンボルについて一定に設定することによって、たとえ複数の異なるタイプの同期信号が、異なるサイクリックプレフィックス長を有する複数のＯＦＤＭ／ＳＣ−ＦＤＭＡシンボルに位置付けられたとしても、第２タイプの同期信号の位置が明確に決定されることが可能となる。したがって、サブフレーム中の複数のシンボルの、異なるサイクリックプレフィックス長の場合でも、第２タイプの同期信号のブラインド検出は回避される。
【００２１】
第１態様に係る送信機の第２の可能な実施例、または第１態様の第１の可能な実施例において、プロセッサーは、受信機が知る１セットの整数オフセット値Δｊに基づき、ｋｊ＝ｌｉ＋Δｊ，∀ｌｉを計算することによって、Ｍ２個のシンボルｋｊのそれぞれと、それぞれの関連するシンボルｌｉとの間の１または複数の決定されたシンボル距離を計算するようさらに構成され得る。ここで、｜Δｊ｜＞０、（ｋｊ，ｌｉ）∈｛０，１，...，Ｎ−１｝である。
【００２２】
それによる利点は、それによる受信機が、ただ、第１タイプの１つの同期信号を検出することによって、および、上記特定のアルゴリズムと、１セットの整数オフセット値Δｊとを知ることによって、第２タイプの同期信号を検出することを可能にされるということである。それにより、送信機と受信機との間の同期が改善される。
【００２３】
第１態様に係る送信機の第３の可能な実施例、または第１態様のそれ以前の実施例の何れかにおいて、当該プロセッサーは｜Δ｜＝１、２および／または３となるよう、１セットのオフセット値Δｊを確立するよう構成され得る。
【００２４】
第１タイプおよび第２タイプの同期信号を、互いに近接してそれぞれ位置付けすることによって、コヒーレント検波が可能となる。
【００２５】
第１態様に係る送信機の第４の可能な実施例、または第１態様のそれ以前の実施例の何れかにおいて、Ｍ１個のシンボルｌｉは、ｌｉ＋１＝ｌｉ＋１となるよう、複数の後続のシンボルｌｉにおいて隣接して位置付けられると決定され得る。
【００２６】
複数の同期信号を保持する複数のシンボルを、サブフレーム中に互いに近接して配置することによって、送信機増幅器は、これらの同期信号を保持する当該複数のシンボルが送信されたとき、複数の同期信号を保持する、後続のサブフレームの対応するシンボルを送信する時間まで、オフに切り替えられ得る。それにより、エネルギーが節約される。
【００２７】
第１態様に係る送信機の第５の可能な実施例、または第１態様のそれ以前の実施例の何れかにおいて、Ｍ１個のシンボルｌｉは、ｌｉ＋１≧ｌｉ＋Ｎ−３となるよう、互いに離れて位置付けられると決定され得る。
【００２８】
それにより、第１タイプの複数の同期信号の送信は、時間に関して分離されるであろう。これは、変化している信号品質を伴う厳しい無線送信状況下において送信する場合に特に有利である。なぜなら、受信機が無線の影であるときに第１タイプの全ての同期信号を送信するというリスクが減少するからである。それにより、よりロバストな同期スキームが実現される。
【００２９】
第１態様に係る送信機の第６の可能な実施例、または第１態様のそれ以前の実施例の何れかにおいて、Ｍ１個のシンボルｌｉは、等しいサイクリックプレフィックス長を有し得、および／または、Ｍ２個のシンボルｋｊは、等しいサイクリックプレフィックス長を有し得る。
【００３０】
それにより、第２タイプの同期信号のシンボル位置のブラインドデコードが回避される。なぜなら、第１タイプの複数の同期信号は、同じサイクリックプレフィックス長を有する複数のシンボルに割り当てられ、第２タイプの複数の同期信号は、第１タイプの複数の同期信号に対するものと同じであってもなくてもよい、同じサイクリックプレフィックス長を有する複数のシンボルに割り当てられるからである。
【００３１】
第１態様に係る送信機の第７の可能な実施例、または第１態様のそれ以前の実施例の何れかにおいて、シンボルｌｉ、ｋｊの数は、Ｍ１＝Ｍ２となるように、第１タイプおよび第２タイプの同期信号について同じであり得、１セットの整数オフセット値Δｊは、１つのオフセット値を備え得る。
【００３２】
１つのオフセット値Δを有することによる利点は、受信機のみが、この１つのオフセット値Δを知ることを要求されるということである。それにより、送信機と受信機との間の同期が向上させられる。
【００３３】
第１態様に係る送信機の第８の可能な実施例、または第１態様のそれ以前の実施例の何れかにおいて、シンボルｋｊのＭ２の数は、シンボルｌｉのＭ１の数を超えてよく、１セットのオフセット値Δｊは、ｋｊ＝ｌｉ＋Δｊとなるように、Ｍ２個のシンボルｋｊのそれぞれと、それぞれの関連するシンボルｌｉとの間のそれぞれの決定されたシンボル距離を画定する複数の別個の整数オフセット値Δｊを備え得る。ここで、Δｊ∈｛０，１，...，Ｎ−１｝である。
【００３４】
第１タイプの複数の基準信号より多くの第２タイプの複数の基準信号を送信することによって、送信機と受信機との間の同期が改善される。
【００３５】
第１態様に係る送信機の第９の可能な実施例、または第１態様のそれ以前の実施例の何れかにおいて、第１タイプの同期信号および第２タイプの同期信号は、デバイスツーデバイス（Ｄ２Ｄ）通信専用であってよく、送信機は非固定的なユニットを含む。
【００３６】
複数の非固定的なユニットの間の同期は、典型的には、１つの固定的なユニットと１つの非固定的なユニットとの間の同期より重要である。なぜなら、非固定的な送信機および受信機の両方は、固定的なネットワークノードに対してドリフトすることがあり、それにより、互いに対してもドリフトするからである。提供された送信機のおかげで、ロバストでありかつ信頼性のある、それなのに高速な同期プロトコルが実現される。
【００３７】
第１態様に係る送信機の第１０の可能な実施例、または第１態様のそれ以前の実施例の何れかにおいて、送信機は、第３世代パートナーシッププロジェクトロングタームエボリューション（３ＧＰＰ  ＬＴＥ）システム内で動作するユーザ機器（ＵＥ）を含み得る。第１タイプの複数の同期信号は１次サイドリンク同期信号を含み得、第２タイプの複数の同期信号は２次サイドリンク同期信号を含み得る。
【００３８】
したがって、３ＧＰＰ  ＬＴＥ環境における同期に対応した送信機が提供される。
【００３９】
第１態様に係る送信機の第１１の可能な実施例、または第１態様のそれ以前の実施例の何れかにおいて、第１タイプの同期信号および／または第２タイプの同期信号は、直交周波数分割多重（ＯＦＤＭ）または単一搬送波周波数分割多元接続（ＳＣ−ＦＤＭＡ）のうちの何れかに基づき得る。
【００４０】
したがって、送信機と受信機との間の双方向において、３ＧＰＰ  ＬＴＥ環境における同期に対応した送信機が提供される。
【００４１】
第２態様によると、サブフレームの０≦ｉ≦（Ｍ１−１）であるＭ１個のシンボルｌｉにおける第１タイプの同期信号、および、サブフレーム中の０≦ｊ≦（Ｍ２−１）であるＭ２個のシンボルｋｊを備える第２タイプの同期信号を送信するための、送信機における方法が提供される。当該サブフレームは、Ｎ≧Ｍ２≧Ｍ１≧２であるＮ個のシンボルを備える。当該方法は、サブフレームのどのＭ１個のシンボルｌｉにおいて第１タイプの同期信号が送信されるべきかを決定する段階を備える。さらに、当該方法はまた、Ｍ２個のシンボルｋｊを、関連するシンボルｌｉから１または複数の決定されたシンボル距離に配置することによって、サブフレームのどのＭ２個のシンボルｋｊにおいて第２タイプの同期信号が送信されるべきかを計算する段階を備える。Ｍ２個のシンボルｋｊのそれぞれと、それぞれの関連するシンボルｌｉとの間の当該１または複数の決定されたシンボル距離は、サブフレーム中のＭ１個のシンボルｌｉの全てと、それらのそれぞれの関連するＭ２個のシンボルｋｊとの間で等しい。加えて、当該方法はまた、サブフレームの決定されたＭ１個のシンボルｌｉにおいて第１タイプの同期信号を、および、サブフレームの計算されたＭ２個のシンボルｋｊにおいて第２タイプの同期信号を送信する段階を備える。
【００４２】
それによる利点は、受信機が、ブラインド検出を実行する必要なく、第２タイプの同期信号を容易に検出することを可能にされることである。第１タイプの同期信号を保持する各シンボルと、第２タイプの同期信号を保持する各シンボルとの間の距離が一定であるおかげで、受信機は、第２タイプの同期信号を検出すべく、第１タイプの同期信号を保持する複数のシンボルのうちのどのシンボルが検出されたかを知る必要がない。それにより、時間、エネルギー、および演算用の電力が受信機によって節約される。したがって、効率的であり、それでいて容易に実装される、送信機および受信機の同期が実現される。
【００４３】
第２態様に係る方法の第１の可能な実施例において、決定されたＭ１個のシンボルｌｉと、関連するＭ２個のシンボルｋｊのそれぞれとの間の１または複数のシンボル距離は、シンボルｌｉ、ｋｊのサイクリックプレフィックスの後の第１時間インスタンスから決定され得る。
【００４４】
第１タイプの同期信号の第１サンプルと、第２タイプの同期信号の第１サンプルとの間隔を、複数の第１タイプの同期信号を含む全てのシンボルについて一定に設定することによって、たとえ複数の異なるタイプの同期信号が、異なるサイクリックプレフィックス長を有する複数のＯＦＤＭ／ＳＣ−ＦＤＭＡシンボルに位置付けられたとしても、第２タイプの同期信号の位置は明確に決定されることが可能となる。したがって、サブフレームにおける複数のシンボルの、異なるサイクリックプレフィックス長の場合でも、第２タイプの同期信号のブラインド検出は回避される。
【００４５】
第２態様に係る方法の第２の可能な実施例、または第２態様の第１の可能な実施例において、Ｍ２個のシンボルｋｊのそれぞれと、それぞれの関連するシンボルｌｉとの間の１または複数の決定されたシンボル距離は、受信機が知り得る１セットの整数オフセット値Δｊに基づき、ｋｊ＝ｌｉ＋Δｊ，∀ｌｉを計算することによって計算され得る。式中、｜Δｊ｜＞０、（ｋｊ，ｌｉ）∈｛０，１，...，Ｎ−１｝である。
【００４６】
それによる利点は、それによる受信機が、ただ、第１タイプの１つの同期信号を検出することによって、および、上記特定のアルゴリズムと、１セットの整数オフセット値Δｊとを知ることによって、第２タイプの同期信号を検出することを可能にされるということである。それにより、送信機と受信機との間の同期が改善される。
【００４７】
第２態様に係る方法の第３の可能な実施例、または第２態様のそれ以前の実施例の何れかにおいて、当該方法は、｜Δ｜＝１、２および／または３となるように１セットのオフセット値Δｊを確立する段階を備え得る。
【００４８】
第１タイプおよび第２タイプの同期信号を、互いに近接してそれぞれ位置付けすることによって、コヒーレント検波が可能となる。
【００４９】
第２態様に係る方法の第４の可能な実施例、または第２態様のそれ以前の実施例の何れかにおいて、Ｍ１個のシンボルｌｉは、ｌｉ＋１＝ｌｉ＋１となるよう、複数の後続のシンボルｌｉにおいて隣接して位置付けられると決定され得る。
【００５０】
複数の同期信号を保持する複数のシンボルを、サブフレーム中に互いに近接して配置することによって、送信機増幅器は、これらの同期信号を保持する当該複数のシンボルが送信されたとき、複数の同期信号を保持する、後続のサブフレームの対応するシンボルを送信する時間まで、オフに切り替えられ得る。それにより、エネルギーが節約される。
【００５１】
第２態様に係る方法の第５の可能な実施例、または第２態様のそれ以前の実施例の何れかにおいて、Ｍ１個のシンボルｌｉは、ｌｉ＋１≧ｌｉ＋Ｎ−３となるよう、互いに離れて位置付けられると決定され得る。
【００５２】
それにより、第１タイプの複数の同期信号の送信は、時間に関して分離されるであろう。これは、変化している信号品質を伴う厳しい無線送信状況下において送信する場合に特に有利である。なぜなら、受信機が無線の影であるときに第１タイプの全ての同期信号を送信するというリスクが減少するからである。それにより、よりロバストな同期スキームが実現される。
【００５３】
第２態様に係る方法の第６の可能な実施例、または第２態様のそれ以前の実施例の何れかにおいて、Ｍ１個のシンボルｌｉは、等しいサイクリックプレフィックス長を有し得、および／または、Ｍ２個のシンボルｋｊは、等しいサイクリックプレフィックス長を有し得る。
【００５４】
それにより、第２タイプの同期信号のシンボル位置のブラインドデコードが回避される。なぜなら、第１タイプの複数の同期信号は同じサイクリックプレフィックス長を有する複数のシンボルに割り当てられ、第２タイプの複数の同期信号は、第１タイプの複数の同期信号に対するものと同じであってもなくてもよい、同じサイクリックプレフィックス長を有する複数のシンボルに割り当てられるからである。
【００５５】
第２態様に係る方法の第７の可能な実施例、または第２態様のそれ以前の実施例の何れかにおいて、シンボルｌｉ、ｋｊの数は、Ｍ１＝Ｍ２となるように、第１タイプおよび第２タイプの同期信号について同じであり得、１セットの整数オフセット値Δｊは、１つのオフセット値を備え得る。
【００５６】
１つのオフセット値Δを有することによる利点は、受信機のみがこの１つのオフセット値Δを知ることを要求されるということである。それにより、送信機と受信機との間の同期が向上させられる。
【００５７】
第２態様に係る方法の第８の可能な実施例、または第２態様のそれ以前の実施例の何れかにおいて、シンボルｋｊのＭ２の数は、シンボルｌｉのＭ１の数を超えてよく、１セットのオフセット値Δｊは、ｋｊ＝ｌｉ＋Δｊとなるように、Ｍ２個のシンボルｋｊのそれぞれと、それぞれの関連するシンボルｌｉとの間のそれぞれの決定されたシンボル距離を画定する複数の別個の整数のオフセット値Δｊを備え得る。ここで、Δｊ∈｛０，１，...，Ｎ−１｝である。
【００５８】
第１タイプの複数の基準信号より多くの第２タイプの複数の基準信号を送信することによって、送信機と受信機との間の同期が改善される。
【００５９】
第２態様に係る方法の第９の可能な実施例、または第２態様のそれ以前の実施例の何れかにおいて、第１タイプの同期信号および第２タイプの同期信号は、デバイスツーデバイス（Ｄ２Ｄ）通信専用であってよく、送信機は非固定的なユニットを含む。
【００６０】
複数の非固定的なユニットの間の同期は、典型的には、１つの固定的なユニットと１つの非固定的なユニットとの間の同期より重要である。なぜなら、非固定的な送信機および受信機の両方は、固定的なネットワークノードに対してドリフトすることがあり、それにより、互いに対してもドリフトするからである。提供された方法のおかげで、ロバストでありかつ信頼性のある、それなのに高速な同期プロトコルが実現される。
【００６１】
第２態様に係る方法の第１０の可能な実施例、または第２態様のそれ以前の実施例の何れかにおいて、送信機は、第３世代パートナーシッププロジェクトロングタームエボリューション（３ＧＰＰ  ＬＴＥ）システム内で動作するユーザ機器（ＵＥ）を含み得る。第１タイプの複数の同期信号は複数の１次サイドリンク同期信号を含み得、第２タイプの複数の同期信号は複数の２次サイドリンク同期信号を含み得る。
【００６２】
したがって、３ＧＰＰ  ＬＴＥ環境における同期に対応した方法が提供される。
【００６３】
第２態様に係る方法の第１１の可能な実施例、または第２態様のそれ以前の実施例の何れかにおいて、第１タイプの同期信号および／または第２タイプの同期信号は、直交周波数分割多重（ＯＦＤＭ）または単一搬送波周波数分割多元接続（ＳＣ−ＦＤＭＡ）のうちの何れかに基づき得る。
【００６４】
したがって、送信機と受信機との間の双方向において、３ＧＰＰ  ＬＴＥ環境における同期に対応した方法が提供される。
【００６５】
第３の態様に従って、サブフレームの０≦ｉ≦（Ｍ１−１）であるＭ１個のシンボルｌｉで、受信された第１タイプの同期信号を、および、０≦ｊ≦（Ｍ２−１）であるＭ２個のシンボルｋｊにおいて第２タイプの同期信号を、検出するよう構成される受信機が提供される。それらの同期信号は、Ｎ≧Ｍ２≧Ｍ１≧２であるＮ個のシンボルを備えるサブフレームにおいて受信される。受信機は、サブフレームのＭ１個のシンボルｌｉにおいて第１タイプの同期信号を受信するよう構成される受信回路を備える。さらに、受信機は、シンボルｋｊと、関連するシンボルｌｉとの間に１または複数の決定されたシンボル距離を確立するよう構成されるプロセッサーも備える。加えて、受信回路は、サブフレームのどのＭ２個のシンボルｋｊにおいて第２タイプの同期信号が検出されるべきかを計算するようさらに構成される。ここで、Ｍ２個のシンボルｋｊのそれぞれと、それぞれの関連するシンボルｌｉとの間の当該１または複数の決定されたシンボル距離は、サブフレーム中のＭ１個のシンボルｌｉの全てについて等しい。
【００６６】
それによる利点は、受信機が、ブラインド検出を実行する必要なく、第２タイプの同期信号を容易に検出することを可能にされることである。第１タイプの同期信号を保持する各シンボルと、第２タイプの同期信号を保持する各シンボルとの間の距離が一定であるおかげで、受信機は、第２タイプの同期信号を検出すべく、第１タイプの同期信号を保持する複数のシンボルのうちのどのシンボルが検出されたかを知る必要がない。それにより、時間、エネルギー、および演算用の電力が受信機によって節約される。したがって、効率的であり、それでいて容易に実装される、送信機および受信機の同期が実現される。
【００６７】
第３の態様に係る受信機の第１の可能な実施例において、プロセッサーは、１セットのオフセット値Δｊに基づき、ｋｊ＝ｌｉ＋Δｊ，∀ｌｉを計算することによって、Ｍ２個のシンボルｋｊのそれぞれと、それぞれの関連するシンボルｌｉとの間の１または複数の決定されたシンボル距離を計算するために構成され得る。式中、｜Δ｜＞０、（ｋｊ，ｌｉ）∈｛０，１，...，Ｎ−１｝である。
【００６８】
それによる利点は、受信機が、ただ、第１タイプの１つの同期信号を検出することによって、および、上記特定のアルゴリズムと、１セットの整数オフセット値Δｊとを知ることによって、第２タイプの同期信号を検出することを可能にされるということである。それにより、送信機と受信機との間の同期が改善される。
【００６９】
第４態様によると、サブフレームの０≦ｉ≦（Ｍ１−１）であるＭ１個のシンボルｌｉにおける第１タイプの同期信号、および、サブフレームにおいて受信される、Ｍ２個のシンボルｋｊにおける第２タイプの同期信号を検出するよう構成される受信機における方法が提供される。当該サブフレームは、Ｎ≧Ｍ２≧Ｍ１≧２であるＮ個のシンボルを備える。当該方法は、サブフレームのどのＭ１個のシンボルｌｉにおいて第１タイプの同期信号が受信されるかを決定する段階を備える。さらに、当該方法は、サブフレーム中のＭ１個のシンボルｌｉの全てについて等しい、Ｍ２個のシンボルｋｊのそれぞれと、それぞれの関連するシンボルｌｉとの間の１または複数の決定されたシンボル距離、を確立する段階を備える。加えて、当該方法は、サブフレームのどのＭ２個のシンボルｋｊにおいて第２タイプの同期信号が受信されるべきかを計算する段階を備える。さらに、当該方法は、サブフレームの計算されたＭ２個のシンボルｋｊにおいて第２タイプのＭ２個の同期信号を検出する段階を備える。
【００７０】
それによる利点は、受信機が、ブラインド検出を実行する必要なく、第２タイプの同期信号を容易に検出することを可能にされることである。第１タイプの同期信号を保持する各シンボルと、第２タイプの同期信号を保持する各シンボルとの間の距離が一定であるおかげで、受信機は、第２タイプの同期信号を検出すべく、第１タイプの同期信号を保持する複数のシンボルのうちのどのシンボルが検出されたかを知る必要がない。それにより、時間、エネルギー、および演算用の電力が受信機によって節約される。したがって、効率的であり、それでいて容易に実装される、送信機および受信機の同期が実現される。
【００７１】
別の態様によると、第１態様、またはその任意の可能な実施例に係る送信機におけるコンピュータプログラムが提供される。当該コンピュータプログラムは、コンピュータ上で実行されるとき、第２態様、またはその任意の可能な実施例に係る方法を実行するためのプログラムコードを備える。
【００７２】
それによる利点は、ブラインド検出を実行する必要なく、第２タイプの同期信号の容易な検出が可能になることである。第１タイプの同期信号を保持する各シンボルと、第２タイプの同期信号を保持する各シンボルとの間の距離が一定であるおかげで、受信機は、第２タイプの同期信号を検出すべく、第１タイプの同期信号を保持する複数のシンボルのうちのどのシンボルが検出されたかを知る必要がない。それにより、時間、エネルギー、および演算用の電力が受信機によって節約される。したがって、効率的であり、それでいて容易に実装される、送信機および受信機の同期が実現される。
【００７３】
別の態様によると、第３の態様、またはその任意の可能な実施例に係る受信機におけるコンピュータプログラムが提供される。当該コンピュータプログラムは、コンピュータ上で実行されるとき、第４態様、またはその任意の可能な実施例に係る方法を実行するためのプログラムコードを備える。
【００７４】
それによる利点は、ブラインド検出を実行する必要なく、第２タイプの同期信号の容易な検出が可能になることである。第１タイプの同期信号を保持する各シンボルと、第２タイプの同期信号を保持する各シンボルとの間の距離が一定であるおかげで、受信機は、第２タイプの同期信号を検出すべく、第１タイプの同期信号を保持する複数のシンボルのうちのどのシンボルが検出されたかを知る必要がない。それにより、時間、エネルギー、および演算用の電力が受信機によって節約される。したがって、効率的であり、それでいて容易に実装される、送信機および受信機の同期が実現される。
【００７５】
さらに別の態様によると、送信機および受信機を互いに同期させるためのシステムが提供される。当該システムは、サブフレームの０≦ｉ≦（Ｍ１−１）であるＭ１個のシンボルｌｉにおける第１タイプの同期信号、および、サブフレーム中の０≦ｊ≦（Ｍ２−１）であるＭ２個のシンボルｋｊを備える第２タイプの同期信号を送信することによって、互いに同期させられる、第１態様に係る送信機と、第３の態様に係る受信機とを備える。当該サブフレームは、Ｎ≧Ｍ２≧Ｍ１≧２であるＮ個のシンボルを備える。当該同期はさらに、サブフレームのどのＭ１個のシンボルｌｉにおいて第１タイプの同期信号は送信されるべきかを決定することを備える。さらに、当該同期はまた、Ｍ２個のシンボルｋｊを、関連するシンボルｌｉから１または複数の決定されたシンボル距離に配置することによって、サブフレームのどのＭ２個のシンボルｋｊにおいて第２タイプの同期信号は送信されるべきかを計算することを備える。Ｍ２個のシンボルｋｊのそれぞれと、それぞれの関連するシンボルｌｉとの間の当該１または複数の決定されたシンボル距離は、サブフレーム中のＭ１個のシンボルｌｉの全てと、それらのそれぞれの関連するＭ２個のシンボルｋｊとの間で等しい。さらに付け加えると、当該同期はまた、サブフレームの決定されたＭ１個のシンボルｌｉにおいて第１タイプの同期信号を、およびサブフレームの計算されたＭ２個のシンボルｋｊにおいて第２タイプの同期信号を送信することを備える。
【００７６】
それによる利点は、ブラインド検出を実行する必要なく、第２タイプの同期信号の容易な検出が可能になることである。第１タイプの同期信号を保持する各シンボルと、第２タイプの同期信号を保持する各シンボルとの間の距離が一定であるおかげで、受信機は、第２タイプの同期信号を検出すべく、第１タイプの同期信号を保持する複数のシンボルのうちのどのシンボルが検出されたかを知る必要がない。それにより、時間、エネルギー、および演算用の電力が受信機によって節約される。したがって、効率的であり、それでいて容易に実装される、送信機および受信機の同期が実現される。
【００７７】
説明された複数の態様の他の目的、利点、および新規な特徴が、以下の詳細な説明から明らかになるであろう。
【図面の簡単な説明】
【００７８】
様々な例を図示する添付の複数の図面を参照して、様々な実施形態がより詳細に説明される。
【図１Ａ】一実施形態における、無線通信ネットワークを図示するブロック図である。
【図１Ｂ】Ｄ２Ｄ通信の例を図示するブロック図である。
【図１Ｃ】間欠ノードによるＤ２Ｄ通信の例を図示するブロック図である。
【図２Ａ】一実施形態に係る、第１タイプの同期信号および第２タイプの同期信号のそれぞれに対して専用の位置を有する、１４個のシンボルを備えるサブフレームを図示するブロック図である。
【図２Ｂ】一実施形態に係る、第１タイプの同期信号および第２タイプの同期信号のそれぞれに対して専用の位置を有する、１４個のシンボルを備えるサブフレームを図示するブロック図である。
【図２Ｃ】一実施形態に係る、第１タイプの同期信号および第２タイプの同期信号のそれぞれに対して専用の位置を有する、１４個のシンボルを備えるサブフレームを図示するブロック図である。
【図２Ｄ】一実施形態に係る、第１タイプの同期信号および第２タイプの同期信号のそれぞれに対して専用の位置を有する、１４個のシンボルを備えるサブフレームを図示するブロック図である。
【図２Ｅ】一実施形態に係る、第１タイプの同期信号および第２タイプの同期信号のそれぞれに対して専用の位置を有する、１４個のシンボルを備えるサブフレームを図示するブロック図である。
【図２Ｆ】一実施形態に係る、第１タイプの同期信号および第２タイプの同期信号のそれぞれに対して専用の位置を有する、１４個のシンボルを備えるサブフレームを図示するブロック図である。
【図２Ｇ】一実施形態に係る、第１タイプの同期信号および第２タイプの同期信号のそれぞれに対して専用の位置を有する、１４個のシンボルを備えるサブフレームを図示するブロック図である。
【図２Ｈ】一実施形態に係る、第１タイプの同期信号および第２タイプの同期信号のそれぞれに対して専用の位置を有する、１４個のシンボルを備えるサブフレームを図示するブロック図である。
【図２Ｉ】一実施形態に係る、第１タイプの同期信号および第２タイプの同期信号のそれぞれに対して専用の位置を有する、１４個のシンボルを備えるサブフレームを図示するブロック図である。
【図２Ｊ】一実施形態に係る、第１タイプの同期信号および第２タイプの同期信号のそれぞれに対して専用の位置を有する、１４個のシンボルを備えるサブフレームを図示するブロック図である。
【図２Ｋ】一実施形態に係る、第１タイプの同期信号および第２タイプの同期信号のそれぞれに対して専用の位置を有する、１４個のシンボルを備えるサブフレームを図示するブロック図である。
【図３Ａ】第１タイプの同期信号のサイクリックプレフィックスおよびデータ部分を備える第１シンボルと、第２タイプの同期信号のサイクリックプレフィックスおよびデータ部分を備える第２シンボルとを図示するブロック図である。
【図３Ｂ】第１タイプの同期信号のサイクリックプレフィックスおよびデータ部分を備える第１シンボルと、第２タイプの同期信号のサイクリックプレフィックスおよびデータ部分を備える第２シンボルとを図示するブロック図である。
【図４】一実施形態に係る送信機における方法を図示するフローチャートである。
【図５】一実施形態に係る送信機を図示するブロック図である。
【図６】一実施形態に係る受信機における方法を図示するフローチャートである。
【図７】一実施形態に係る受信機を図示するブロック図である。
【図８Ａ】従来技術に係る、それぞれが、同期信号を有する２つのシンボルを備える、２つの同期バーストを備えるサブフレームを図示するブロック図である。
【図８Ｂ】従来技術に係る、第１タイプの同期信号および第２タイプの同期信号のそれぞれに対して専用の位置を有する１４個のシンボルを備えるサブフレームを図示するブロック図である。
【発明を実施するための形態】
【００７９】
本明細書において説明される発明の複数の実施形態は、以下で説明されるそれらの実施形態において実現され得る送信機、送信機における方法、受信機、および受信機における方法として定義される。しかしながら、これらの実施形態は、多数の異なる形態で実証され、実現され得、本明細書において述べられる複数の例に限定されるべきではない。むしろ、複数の実施形態のこれらの例示的な複数の例は、この開示が完璧かつ完全なものとなるように提供される。
【００８０】
さらに他の目的および特徴が、添付の複数の図面と合わせ考慮される以下の詳細な説明から明らかとなるであろう。しかしながら、それらの図面は例示の目的のためだけに描かれたものであり、本明細書において開示される複数の実施形態の範囲を定義するものとして描かれているのではなく、そのために添付の特許請求の範囲が参照されることが理解されるべきである。さらに、それらの図面は、必ずしも縮尺通りではなく、別段の指示が無い限り、単に、本明細書において説明される複数の構造および複数の手順を概念的に図示することが意図されるに過ぎない。
【００８１】
図１Ａは、送信機１１０、受信機１２０、および無線ネットワークノード１３０を備える無線通信ネットワーク１００に関する概略図である。送信機１１０および／または受信機１２０は、無線ネットワークノード１３０の配下であり得るモバイル端末であってよい。それにより、無線通信ネットワーク１００に接続されている。
【００８２】
送信機１１０および受信機１２０は、Ｄ２Ｄ通信のために構成され得、送信機１１０は、デバイス１１０、１２０間の同期のために、受信機１２０にＤ２Ｄ同期信号を送信し得る。
【００８３】
無線通信ネットワーク１００は、いくつかの選択肢を挙げれば、例えば、３ＧＰＰ  ＬＴＥ、ＬＴＥアドバンスト、エボルブド・ユニバーサル地上無線アクセスネットワーク（Ｅ−ＵＴＲＡＮ）、ユニバーサル移動体通信システム（ＵＭＴＳ）、グローバル・システム・フォー・モバイル・コミュニケーションズ（そもそもは、Ｇｒｏｕｐｅ  Ｓｐｅ´ｃｉａｌ  Ｍｏｂｉｌｅ）（ＧＳＭ（登録商標））／エンハンスド・データ・レート・フォー・ＧＳＭ（登録商標）・エボリューション（ＧＳＭ（登録商標）／ＥＤＧＥ）、広帯域符号分割多元接続（ＷＣＤＭＡ（登録商標））、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）、ネットワーク、ワールドワイド・インターオペラビリティ・フォー・マイクロウェーブ・アクセス（ＷｉＭａｘ）またはウルトラ・モバイル・ブロードバンド（ＵＭＢ）、高速パケットアクセス（ＨＳＰＡ）エボルブド・ユニバーサル地上無線アクセス（Ｅ−ＵＴＲＡ）、ユニバーサル地上無線アクセス（ＵＴＲＡ）、ＧＳＭ（登録商標）  ＥＤＧＥ無線アクセスネットワーク（ＧＥＲＡＮ）、例えば、ＣＤＭＡ２０００  １ｘ  ＲＴＴおよび高レートパケットデータ（ＨＲＰＤ）といった３ＧＰＰ２  ＣＤＭＡ技術などの無線アクセス技術に少なくとも部分的に基づき得る。「無線通信ネットワーク」、「無線通信システム」、および／または「セルラー電気通信システム」という表現は、本開示の技術的文脈内で場合により互換的に使用され得る。
【００８４】
無線通信ネットワーク１００は、複数の異なる実施形態によると、時分割複信（ＴＤＤ）および／または周波数分割複信（ＦＤＤ）の原理に従って動作するよう構成され得る。
【００８５】
ＴＤＤは、場合によっては、ガード期間（ＧＰ）がアップリンクシグナリングとダウンリンクシグナリングとの間に時間領域において置かれた状態で、アップリンク信号およびダウンリンク信号を時間に関して分離する時分割多重の応用である。ＦＤＤは、送信機および受信機が、異なる搬送波周波数で動作することを意味する。
【００８６】
図１Ａの例示の目的は、本明細書において説明される送信機１１０、受信機１２０、および無線ネットワークノード１３０などの、無線通信ネットワーク１００、ならびに、含まれる方法およびノードと、含まれる複数の機能との例の簡素化された全体的外観を提供することである。
【００８７】
図１Ｂは、送信機１１０および受信機１２０が任意の無線通信ネットワーク１００、すなわち、ＬＴＥネットワーク、の外部に置かれる例を図示する。送信機１１０は同期の複数の目的のために、受信機１２０によって受信されるべきＤ２Ｄ同期信号（Ｄ２ＤＳＳ）を送信する。
【００８８】
図１Ｃは、マルチホップが例示されるＤ２Ｄ通信の実施形態をさらに図示する。送信機１１０は、中間に置かれた他のネットワークノード１４０を介して受信機１２０によって受信されるべきＤ２ＤＳＳを送信する。
【００８９】
図１Ａ、図１Ｂ、および／または図１Ｃにおける、送信機１１０の一例、受信機１２０の一例、および、場合により一無線ネットワークノード１３０または他のネットワークノード１４０の、図１Ａ、図１Ｂ、および／または図１Ｃの図示された設定は、複数の実施形態の単なる非限定的な例と見なされるべきであることに注意されたい。無線通信ネットワーク１００は、任意の他の数の、および／または任意の他の組み合わせの説明されるエンティティ１１０、１２０、１３０、１４０を備え得る。したがって、複数の送信機１１０、受信機１２０、他のネットワークノード１４０、および無線ネットワークノード１３０の別の構成は、本明細書において開示される複数の実施形態のいくつかに含まれ得る。したがって、例えば、いくつかの実施形態によると、本明細書において別のネットワークノード１４０によるマルチホップに言及するとき、他のネットワークノード１４０は、複数の他のネットワークノード１４０のセットを含み得る。
【００９０】
したがって、いくつかの実施形態によると、本文脈において、「一」または「１つの（ａ／ａｎ）」送信機１１０、受信機１２０、他のネットワークノード１４０、および／または無線ネットワークノード１３０に言及するときはいつでも、複数の送信機１１０、受信機１２０、他のネットワークノード１４０、および／または無線ネットワークノード１３０が含まれ得る。
【００９１】
同様に、送信機１１０、受信機１２０、および／または他のネットワークノード１４０は、複数の異なる実施形態および異なる用語によると、例えば、無線通信端末、携帯電話、パーソナル・デジタル・アシスタント（ＰＤＡ）、無線プラットフォーム、移動局、ユーザ機器、タブレットコンピュータ、携帯通信機器、ラップトップ、コンピュータ、中継装置の機能を果たす無線端末、中継ノード、移動中継装置、カスタマ構内設備（ＣＰＥ）、複数の固定無線アクセス（ＦＷＡ）ノード、または、直接的な通信によって互いに、および、場合によっては無線ネットワークノード１３０とも、無線通信するよう構成される任意の他の種類のデバイスによって表され得る。
【００９２】
さらに、いくつかの実施形態によると、無線ネットワークノード１３０および／または他のネットワークノード１４０は、ダウンリンク送信およびアップリンク受信のために構成され得、それぞれ、例えば、使用される無線アクセス技術および／または用語に応じて、例えば、基地局、ＮｏｄｅＢ、複数の進化型Ｎｏｄｅ  Ｂ（ｅＮＢまたはｅＮｏｄｅ  Ｂ）、ベーストランシーバ基地局、アクセスポイント基地局、基地局ルータ、無線基地局（ＲＢＳ）、マイクロ基地局、ピコ基地局、フェムト基地局、ホームｅＮｏｄｅＢ、センサ、ビーコンデバイス、中継ノード、リピータ、または、無線インタフェースを介したセルカバレッジ内での複数の移動局との通信のために構成される任意の他のネットワークノードと称され得る。
【００９３】
いくつかの実施形態は、モジュール実装手法を定義し、それが、例えば、複数の基準、複数のアルゴリズム、複数の実装、複数の構成要素、および複数の製品などの複数のレガシーシステムを再使用することを可能にし得る。
【００９４】
送信機１１０および受信機１２０は、２つの別個のタイプの同期信号を使用することによって同期し得る。２つの別個のタイプの同期信号は、複数のバーストで、複数のシンボルにおいて、バースト内の当該２つのタイプの同期信号のためのそれらのシンボルの間の予め規定されたシンボル間間隔をもって送信される。
【００９５】
本明細書において説明される複数のシンボルは、複数の異なる実施形態において、例えば、直交周波数分割多重（ＯＦＤＭ）シンボル、または単一搬送波周波数分割多元接続（ＳＣ−ＦＤＭＡ）シンボルを含み得る。
【００９６】
送信機１１０は、２つのタイプの同期信号を送信し得る。その２つのタイプの同期信号は、複数のバーストで、例えば、ＯＦＤＭシンボルまたはＳＣ−ＦＤＭＡシンボルなどの複数のシンボルにおいて、バースト内の当該２つのタイプの同期信号のためのそれらのシンボルの間の予め規定されたシンボル間間隔をもって送信される。
【００９７】
それに対応して、受信機１２０は２つのタイプの同期信号を検出し得る。当該２つのタイプの同期信号は、複数のバーストで、例えば、ＯＦＤＭシンボルまたはＳＣ−ＦＤＭＡシンボルなどの複数のシンボルにおいて、バースト内の当該２つのタイプの同期信号のためのそれらのシンボルの間の予め規定されたシンボル間間隔をもって送信される。
【００９８】
受信機１２０は、複数の連続するシンボルが、第１タイプの同期信号を送信するために使用される場合、任意で、第１タイプの同期信号の反復信号特性を使用し得る。
【００９９】
したがって、効率的なコヒーレント検波、およびブラインド検出の回避を可能にすることによって受信機１２０の複雑性を低減すべく、バースト的に送信される同期信号の複数のシンボル位置をどのように配置するかが本明細書において開示される。
【０１００】
一実施形態に従って、ｌ＝０，...，Ｎ−１からラベル付けされるＮ個のシンボルのセットを含み得る、複数のバーストでの複数の同期信号の送信が開示される。いくつかのバーストは、互いに連続して送信され得、しかしある時点で、同期信号を１つも含まない少なくともＮ個のシンボルが存在し得る。バーストはサブフレームであり得る。バーストは、例えば、ＬＴＥにおけるＤ２Ｄ通信のための送信には使用されない最後のシンボルを除く、サブフレーム内のシンボルのサブセットに制限され得ることに注意されたい。
【０１０１】
さらに、第１タイプの同期信号および第２タイプの同期信号の２つのタイプの同期信号が規定されることが想定され得る。
【０１０２】
これらの同期信号は異なる情報を含み得、十分な同期を取得すべく、その両方が成功裏に検出されなくてはならないことが想定され得る。さらに、典型的には、第１タイプの同期信号は、第２タイプの同期信号の検出前に検出されなくてはならない。
【０１０３】
非限定的な例として、第１タイプの同期信号は、中央要素がパンクチャリングされる、１または複数の長さ６３のＺａｄｏｆｆ−Ｃｈｕシーケンスから生成され得、長さ６２のシーケンスがもたらされる。同様に、第２タイプの同期信号は、１セットのｍ系列から得られる２つのインターリーブされた長さ３１のシーケンスから生成され得、長さ６２のシーケンスがもたらされる。
【０１０４】
したがって、バースト送信に関するそれらの想定に従うと、第１タイプの同期信号の連続的な送信を含む少なくとも２つのシンボルが存在し、その少なくとも２つのシンボルは、第１タイプの同期信号の連続的な送信を含む別の２つのシンボルのシンボル間間隔とは異なるシンボル間間隔を有する。同様に、したがって、第２タイプの同期信号の連続的な送信を含む少なくとも２つのシンボルが存在し、それらの少なくとも２つのシンボルは、第２タイプの同期信号の連続的な送信を含む別の２つのシンボルのシンボル間間隔とは異なるシンボル間間隔を有するであろう。
【０１０５】
第１タイプの同期信号に使用されるＭ１≧２個のシンボルが存在すると仮定する。これらの信号は、シンボル
【数１】
2018078607.tif 000003
において送信される。さらに、第２タイプの同期信号に使用されるＭ２≧Ｍ１個のシンボルが存在する。これらの信号は、シンボル
【数２】
2018078607.tif 000004
において送信される。１つのシンボルにおいてただ１つの同期信号が送信される、すなわち、
【数３】
2018078607.tif 000005
のように、これらのセットの共通部分はない。
【０１０６】
一実施形態においては、シンボルの数は、Ｍ１＝Ｍ２のように、第１タイプの同期信号および第２タイプの同期信号について同じであり得る。
【０１０７】
第２タイプの同期信号のブラインド検出を回避すべく、これらの信号はｋｉ＝ｌｉ＋Δ，∀ｌｉであるように、複数のシンボルｋｉにおいて送信され得る。式中、｜Δ｜＞０である。
【０１０８】
これは、どのシンボルｌｉにおいて受信機１２０が第１タイプの同期信号を検出しても、受信機１２０は、明確なシンボル位置ｋｉ＝ｌｉ＋Δにおいて第２タイプの同期信号を検出可能であり得ることを暗示する。その値は、予め規定される、または、例えば、同期信号の検出に先立って受信機１２０にシグナリングする無線リソース制御（ＲＲＣ）によってシグナリングされる、の何れかであり得る。よって、ブラインドシンボル位置検出は回避され得る。よって、各シンボルｌｉについて、シンボルｌｉと、関連するシンボルｋｉとの間のシンボル距離｜ｋｉ−ｌｉ｜は、全てのシンボルｌｉについて等しい。
【０１０９】
いくつかの実施形態に係る場合のとき、ｐ＞１は整数であるとき、Ｍ２＝ｐ・Ｍ１であるならば、第２タイプの同期信号のための複数のシンボルを第１タイプの同期信号のための１つのシンボルと関連付けることが一般化され得る。例えば、２対１の関係について、それは、例えば、
【数４】
2018078607.tif 000006
といったいくつかの予め規定されたやり方で確立され得る。式中、Δ１および
【数５】
2018078607.tif 000007
は、Δと同様に、予め規定されたオフセットパラメータである。第２タイプの同期信号のための２つより多いシンボルが、第１タイプの同期信号のための１つのシンボルと関連付けられる場合、複数の実施形態において、複数の同様な関係が決定され得る。
【０１１０】
したがって、Ｍ１が２であるとき、ｐが２に設定される場合、Ｍ２は４であり得、ｐが３に設定される場合、Ｍ２は６であり得、および／または、Ｍ１が３であるとき、ｐが２に設定される場合、Ｍ２は６であり得る。これらは、いくつかの可能な実施例のいくつかの任意の例に過ぎない。
【０１１１】
いくつかの実施形態において、第１タイプの同期信号は、サブフレームの０≦ｉ≦（Ｍ１−１）であるＭ１個のシンボルｌｉにおいて送信され得、第２タイプの同期信号は、サブフレームの０≦ｊ≦（Ｍ２−１）であるＭ２個のシンボルｋｊにおいて送信され得る。
【０１１２】
サブフレームは、Ｎ≧Ｍ２≧Ｍ１≧２であるＮ個のシンボルを備える。
【０１１３】
よって、各シンボルｌｉについて、シンボルｌｉと、関連するシンボルｋｊとの間のシンボル距離｜ｋｊ−ｌｉ｜は、全てのシンボルｌｉについて等しい。しかしながら、当該シンボル距離｜ｋｊ−ｌｉ｜は、別のシンボル距離｜ｋｊ＋１−ｌｉ｜とは異なる。したがって、全てのシンボルｌｉについて、いくつかのシンボル距離が存在し得る。しかしながら、そのいくつかのシンボル距離は、全てのシンボルｌｉについて同じである。
【０１１４】
いくつかの実施形態において、Ｍ２＞Ｍ１、且つＭ２≠ｐ・Ｍ１である。式中、ｐは整数である。そのような複数の実施形態において、複数の第２タイプの同期信号のために規定される
【数６】
2018078607.tif 000008
個のシンボルのシンボル位置は、複数の前の実施形態に従って決定される。その結果、複数の第２タイプの同期信号のための、残りの
【数７】
2018078607.tif 000009
個のシンボルだけが、追加のシンボル間間隔を有し得る。
【０１１５】
いくつかの更なる実施形態において、第１タイプおよび第２タイプの同期信号は、コヒーレント検波に適応すべく、すぐ近くに位置付けられ得る。これは、｜Δ｜≪Ｎ−１となるようにそれらの同期信号を配置することによって、その２つのタイプの同期信号のためのシンボルの最大の分離を回避すべく実現される。一実施形態において、｜Δ｜＝１、２、または３であり、これは、１次同期信号（ＰＳＳ）および２次同期信号（ＳＳＳ）の最大の間隔が３個のシンボルであるならば、ＬＴＥヌメロロジー（ｎｕｍｅｒｏｌｏｇｙ）を使用して、システム１００において十分なチャネル推定性能を提供することが期待され得る。
【０１１６】
更なる実施形態は、第１タイプの同期信号のための隣接して位置付けられた複数のシンボル、すなわち、ｌｉ＋１＝ｌｉ＋１を使用することを備える。これは、前述の複数の実施形態の任意のものと容易に組み合わせられ得る。これが、例えば、｜Δ｜≧Ｍ１といった、複数の特定の制約を課すこともまた明らかであり得る。第１タイプの同期信号のための隣接して位置付けられた複数のシンボルを使用することの利点は、それが、より良好な同期性能を提供し得ることである。例えば、２つのシンボル間でチャネルが著しく変化していない場合、第１タイプの同期信号を含む隣接して位置付けられた複数のシンボルのセットにわたって補間することによって、複数のチャネル推定値を改善することが可能になり得る。
【０１１７】
さらに、シンボル内の同期信号が反復構造を有する場合、それは、受信信号の自己相関として得られる差分相関値を計算することによって、検出され得ることが示された。これの１つの望ましい特性は、相関値の大きさが、いずれの周波数オフセットによっても影響されないことである。これは、特に、全周波数オフセットが送信機１１０および受信機１２０の両方に起因する、図１Ｂおよび／または図１Ｃにおいて例示されるようなネットワークカバレッジ外での動作のときに、Ｄ２Ｄ通信にとって望ましい。これは、典型的なセルラー通信に対するよりも、はるかに大きな周波数オフセットをもたらし得る。なぜなら、無線ネットワークノード１３０、またはｅＮｏｄｅＢ、は、移動送信機１１０および移動受信機１２０よりも、はるかに正確な複数の周波数発振器を有し得るからである。さらに、２つの隣接するシンボルからの反復信号はまた、複数の異なるシンボルから複数の反復サンプルの差分相関値を計算することを可能にし得る。ゆえに、隣接して位置付けられた複数のシンボルは、大きな周波数オフセット下で、よりロバストな検出を提供し得る。
【０１１８】
さらに、Δ＞０の場合、第１タイプの同期信号が検出された後、そのシンボルにおいて第２タイプの同期信号を検出することによって、複数の同期Δシンボルを最終決定する（すなわち、第２タイプの同期信号を検出する）ことを可能にし得る。
【０１１９】
Δ＜０であり、且つ、受信機１２０が複数の先行するシンボルからの複数のサンプルをバッファリングする場合、第１タイプの同期信号が検出された後すぐに、同期を最終決定する（すなわち、第２タイプの同期信号を検出する）ことが可能になり得る。
【０１２０】
チャネルフェーディングにより、チャネルコヒーレンス時間よりも長い時間分離を有する、信号の複数の反復送信を実行することが望ましい。これは時間ダイバーシティをもたらす。ゆえに、２つの同期信号のタイプの任意のものについて、複数のシンボルをできる限り遠く離して配置することが有益であり得る。更なる実施形態は、シンボルｌｉ＋１≧ｌｉ＋Ｎ−３を使用することを備え得る。これは、最後のシンボルが送信には使用され得ないサブフレーム中において、第１タイプの同期信号の最大時間分離をもたらす。また、例えば、｜Δ｜＝１であり、同様にｋｉ＋１≧ｋｉ＋Ｎ−３である場合、時間ダイバーシティ利得は第２タイプの同期信号についても得られ得る。
【０１２１】
以下の複数の図面において、複数の異なる実施形態のいくつかの例が示される。しかしながら、送信機１１０、受信機１２０、およびそれらにおける方法は、これらの例にも、考慮されるインデックスｌ０およびｌ１のセットにも限定されない。また、いくつかの実施形態によると、第２タイプの同期信号は、ブラインド検出を要することなく検出され得、そのことは、受信機１２０におけるコンピューティングリソースを節約する。
【０１２２】
図２Ａは、０から１３までラベル付けされた１４個のシンボルを備えるサブフレーム２００の実施形態を示す。図示されている例において、第１タイプの同期信号を有する２つのシンボル（位置６および７）と、第２タイプの同期信号を有する２つのシンボル（位置８および９）とが存在する。したがって、Ｍ１＝Ｍ２＝２、Δ＝２、且つｌ１＝ｌ０＋１である。
【０１２３】
図示されている実施形態の利点は、それが、第１タイプの同期信号を有する２つの隣接して位置付けられたシンボル（位置６および７）から、複数のチャネル推定値の補間を可能にし得るということである。
【０１２４】
しかしながら、サブフレーム２００は、例えば、１０、１１、１２、１３、１５、１６、...、∞、などのあらゆる任意の数Ｎのシンボルを備え得る。本明細書において説明される同期の複数の実施形態は、サブフレーム２００内のシンボルの数に限定されることも、それに依存することもない。
【０１２５】
図２Ｂは、０から１３までラベル付けされた１４個のシンボルを備えるサブフレーム２００の別の実施形態を図示する。図示されている例において、第１タイプの同期信号を有する２つのシンボル（位置６および７）と、第２タイプの同期信号を有する２つのシンボル（位置４および５）とが存在する。したがって、Ｍ１＝Ｍ２＝２、Δ＝−２、且つｌ１＝ｌ０＋１である。
【０１２６】
図２Ｂにおける図示されている実施形態のさらなる利点も、それが、第１タイプの同期信号を有する２つの隣接して位置付けられたシンボル（位置６および７）から、複数のチャネル推定値の補間を可能にし得るということである。
【０１２７】
図２Ｃは、０から１３までラベル付けされた１４個のシンボルを備えるサブフレーム２００の別の実施形態を図示する。図示されている例において、第１タイプの同期信号を有する２つのシンボル（位置４および６）と、第２タイプの同期信号を有する２つのシンボル（位置５および７）とが存在する。したがって、Ｍ１＝Ｍ２＝２、Δ＝１、且つｌ１＝ｌ０＋２である。
【０１２８】
図２Ｃの配置の利点は、それが、それらのシンボル間の最小の分離、すなわち、それらの異なるタイプの同期信号について１個のシンボル距離の間隔、を提供するということである。さらに、第２タイプの同期信号を有する２つのシンボルに隣接して位置付けられる、第１タイプの同期信号を有する１つのシンボルが存在する。したがって、それは、これらの２つのシンボルの両方についてのチャネル推定に使用され得る。
【０１２９】
図２Ｄは、０から１３までラベル付けされた１４個のシンボルを備えるサブフレーム２００の別の実施形態を図示する。図示されている例において、第１タイプの同期信号を有する２つのシンボル（位置５および７）と、第２タイプの同期信号を有する２つのシンボル（位置４および６）とが存在する。したがって、Ｍ１＝Ｍ２＝２、Δ＝−１、且つｌ１＝ｌ０＋２である。
【０１３０】
図２Ｄの配置の利点は、それが、それらのシンボル間の最小の分離、すなわち、それらの異なるタイプの同期信号について１個のシンボル距離の間隔、を提供するということである。さらに、第２タイプの同期信号を有する２つのシンボルに隣接して位置付けられる、第１タイプの同期信号を有する１つのシンボルが存在する。したがって、それは、これらの２つのシンボルの両方についてのチャネル推定に使用され得る。
【０１３１】
図２Ｅは、０から１３までラベル付けされた１４個のシンボルを備えるサブフレーム２００のさらに別の実施形態を図示する。図示されている例において、第１タイプの同期信号を有する２つのシンボル（位置４および８）と、第２タイプの同期信号を有する２つのシンボル（位置５および９）とが存在する。Ｍ１＝Ｍ２＝２、Δ＝１、且つｌ１＝ｌ０＋４である。
【０１３２】
図２Ｆは、０から１３までラベル付けされた１４個のシンボルを備えるサブフレーム２００のさらに別の実施形態を図示する。図示されている例において、第１タイプの同期信号を有する２つのシンボル（位置５および９）と、第２タイプの同期信号を有する２つのシンボル（位置４および８）とが存在する。したがって、Ｍ１＝Ｍ２＝２、Δ＝−１、且つｌ１＝ｌ０＋４である。
【０１３３】
図２Ｅおよび図２Ｆにおいて例示される実施形態の利点は、隣接するシンボルのセットを必要としないことである。それにより、これらの実施形態は、サブフレーム２００の複数のシンボルのうちのいくつかが、利用可能でないこともある、および／または、他の複数のチャネルおよび／または複数の信号の送信のために占有されることもある、ことを考慮すると、同期のための複数のシンボルを挿入することをより容易にし得る。
【０１３４】
さらに、第１および第２タイプの同期信号を有する２つのシンボルペアを分離することによって、時間ダイバーシティがもたらされることもまた明らかである。つまり、第１タイプの同期信号を有する複数のシンボルがより遠くに離れて位置付けられるほど、チャネルフェーディングの影響はより小さくなる。第２タイプの同期信号を有する複数のシンボルの分離についてもまた、同じ観測結果が成り立つ。それらの図面は単なる例であり、それらのシンボルを、図２Ｅおよび図２Ｆにおいて例示されるものよりさらに遠く離して分離することが可能であろうということが理解され得る。よって、この形態の配置（すなわち、ｌ１≠ｌ０±１）は、最大コヒーレント検波利得を提供する（なぜなら、第１および第２タイプの同期信号は隣接するシンボルに位置付けられる、ｋ０＝ｌ０±１、からである）と同時に、両方のタイプの同期信号について、それらのシンボルペアを十分離して分離することによって、時間ダイバーシティを可能にする。
【０１３５】
図２Ｇは、０から１３までラベル付けされた１４個のシンボルを備えるサブフレーム２００のさらに別の実施形態を図示する。図示されている例において、第１タイプの同期信号を有する２つのシンボル（位置３および７）と、第２タイプの同期信号を有する４つのシンボル（位置４、５、８、および９）とが存在する。したがって、Ｍ１＝２、Ｍ２＝４、Δ＝１、Δ１＝２、且つｌ１＝ｌ０＋３である。
【０１３６】
図２Ｈは、０から１３までラベル付けされた１４個のシンボルを備えるサブフレーム２００の別の実施形態を図示する。図示されている例において、第１タイプの同期信号を有する２つのシンボル（位置５および９）と、第２タイプの同期信号を有する４つのシンボル（位置３、４、７、および８）とが存在する。したがって、Ｍ１＝２、Ｍ２＝４、Δ＝−１、Δ１＝−２、且つｌ１＝ｌ０＋３である。
【０１３７】
図２Ｇおよび図２Ｈにおける図示されている実施形態の利点は、それが、図２Ｅおよび図２Ｆの実施形態と同様であるが、第２タイプの同期信号のためにより多くのシンボルを提供し得、したがって、検出確率を向上させるということである。
【０１３８】
ＯＦＤＭシンボルまたはＳＣ−ＦＤＭＡシンボルなどのシンボルは、データ部分およびサイクリックプレフィックス（ＣＰ）を有する。図２Ｉを参照されたい。更なる実施形態において、Ｎ個のＯＦＤＭ／ＳＣ−ＦＤＭＡシンボルの全てが同じサイクリックプレフィックス長を有するわけではないことが考慮され得る。例えば、従来技術のＬＴＥシステムにおいて、Ｎ＝１４のＯＦＤＭ／ＳＣ−ＦＤＭＡシンボルを備えるサブフレームについて、ｌ＝０およびｌ＝７のシンボルは、サブフレーム２００中の他の複数のシンボルのサイクリックプレフィックスよりも長いサイクリックプレフィックスを含む。
【０１３９】
一実施形態において、Ｎ個のＯＦＤＭ／ＳＣ−ＦＤＭＡシンボルのうちの少なくとも１つは、他のＯＦＤＭ／ＳＣ−ＦＤＭＡシンボルとは異なるサイクリックプレフィックス長を有する。第２タイプの同期信号のＯＦＤＭ／ＳＣ−ＦＤＭＡシンボルの位置のブラインドデコードを回避すべく、第１タイプの同期信号を、同じサイクリックプレフィックス長を有する複数のＯＦＤＭ／ＳＣ−ＦＤＭＡシンボルに割り当てるように開示される。さらに、第２タイプの複数の同期信号もまた、同じサイクリックプレフィックス長を有する複数のＯＦＤＭ／ＳＣ−ＦＤＭＡシンボルに割り当てられる。当該サイクリックプレフィックス長は、第１タイプの複数の同期信号のサイクリックプレフィックス長と同じでなくてよい。このことは、たとえ第１タイプおよび第２タイプの同期信号が異なるサイクリックプレフィックス長を有する複数のＯＦＤＭ／ＳＣ−ＦＤＭＡシンボルにおいて送信されるとしても、複数の前の実施形態に従って、ブラインドデコードなしに、ＯＦＤＭ／ＳＣ−ＦＤＭＡシンボルの位置が決定され得ることを保証する。
【０１４０】
例として、従来技術のＬＴＥシステムを参照すると、サブフレームｌ＝０およびｌ＝７は、第１タイプの複数の同期信号を備え得る、または、第２タイプの複数の同期信号を備え得る、または同期信号は全く備え得ない。図２Ｊは、全ての同期信号が、同じサイクリックプレフィックス長を有する複数のＯＦＤＭ／ＳＣ−ＦＤＭＡシンボルに割り当てられる例を示している。これは、Ｍ１＝Ｍ２＝２、Δ＝３、ｌ１＝ｌ０＋１、およびｌ０＝５と設定することによって実現される。図８Ｂにおいて示されるような従来技術においては、複数の１次サイドリンク同期信号シンボルはシンボルｌ＝６およびｌ＝７に位置付けられる、すなわち、それらは異なるサイクリックプレフィックス長を有することにも注意されたい。
【０１４１】
図２Ｋは、第１タイプおよび第２タイプの複数の同期信号のペアが、それぞれ、サブフレーム２００内においてできる限り遠く離して位置付けられる、サブフレーム２００の別の例を図示している。それにより、最大コヒーレント検波利得を有しながら、最大時間ダイバーシティに関連付けられる複数の利点は実現される。なぜなら、第１タイプの複数の同期信号および第２タイプの複数の同期信号を有する複数のシンボルは、隣接しているからである。
【０１４２】
図３Ａおよび図３Ｂは、２つの異なる並び方の同期信号についての距離ｄを図示する。
【０１４３】
第２タイプの同期信号のブラインド検出を回避するための条件は、第１タイプの同期信号の第１の瞬間と、第２タイプの同期信号の第１の瞬間との間隔である距離ｄが、複数の第１タイプの同期信号を含む全てのＯＦＤＭ／ＳＣ−ＦＤＭＡシンボルについて一定である、ということであることが理解されるだろう。これにより、たとえそれらの異なるタイプの同期信号が、異なるサイクリックプレフィックス長を有する複数のＯＦＤＭ／ＳＣ−ＦＤＭＡシンボルに位置付けられても、第２タイプの同期信号の位置を明確に決定することが可能となる。したがって、シンボルｋｉおよびｌｉとの間の距離ｄが、全てのシンボルｌｉについて一定であり得るならば、ｋｉ＝ｌｉ＋Δ，∀ｌｉである。式中｜Δ｜＞０である。
【０１４４】
それにより、複数の説明される方法は、コヒーレント検波が使用され得るように、複数の同期信号を互いに近接して位置付けることによる、送信機１１０および受信機１２０を同期するための同期性能の改善を備え得る。また、ブラインド検出が回避され得るように、複数の同期信号の間の予め規定されたシンボル間隔の複数の関係を規定することによる改善も備え得る。
【０１４５】
さらに、複数の同期信号が隣接して位置付けられるとき、送信機１１０において省電力化が向上され得る。なぜなら、送信機１１０の電力増幅器は、送信される複数の信号バーストの間でオフに切り替えられ得るからである。
【０１４６】
さらにいくつかの図示されない実施形態において、複数の同期信号は、上記明確に述べられた明細書の複数のささいな変更に従って、サブフレーム２００の複数のシンボルに分散され得る。また、説明される送信機１１０、受信機１２０、及び複数の方法は、２つのタイプの同期信号が複数のバーストで送信される任意のシステムにおいて適用され得る。
【０１４７】
図４は、サブフレーム２００の０≦ｉ≦（Ｍ１−１）であるＭ１個のシンボルｌｉにおける第１タイプの同期信号、および、サブフレーム２００中の０≦ｊ≦（Ｍ２−１）であるＭ２個のシンボルｋｊを含む第２タイプの同期信号を送信するための、送信機１１０において使用するための方法４００の複数の実施形態を図示するフローチャートである。サブフレーム２００は、Ｎ≧Ｍ２≧Ｍ１≧２である、Ｎ個のシンボルを備える。
【０１４８】
いくつかの実施形態において、Ｍ１個のシンボルｌｉは等しいサイクリックプレフィックス長を有し、および／または、Ｍ２個のシンボルｋｊは等しいサイクリックプレフィックス長を有し得る。
【０１４９】
いくつかの実施形態において、Ｍ１＝Ｍ２、且つ、１セットの整数オフセット値Δｊが、１つのオフセット値を備え得るように、シンボルｌｉ、ｋｊの数は、第１タイプおよび第２タイプの同期信号について同じであり得る。
【０１５０】
いくつかの実施形態において、シンボルｋｊのＭ２の数は、シンボルｌｉのＭ１の数を超えてよく、１セットのオフセット値Δｊは、ｋｊ＝ｌｉ＋Δｊであるように、Ｍ２個のシンボルｋｊのそれぞれと、それぞれの関連するシンボルｌｉとの間のそれぞれの決定されたシンボル距離を画定する複数の別個の整数オフセット値Δｊを備え得る。ここで、Δｊ∈｛０，１，...，Ｎ−１｝である。
【０１５１】
第１タイプの同期信号および第２タイプの同期信号は、デバイスツーデバイス、Ｄ２Ｄ、通信専用であり、送信機１１０は、例えば、移動局またはＵＥなどの非固定的なユニットを含み得る。
【０１５２】
また、複数の異なる実施形態において、第１タイプの同期信号および／または第２タイプの同期信号は、直交周波数分割多重（ＯＦＤＭ）または単一搬送波周波数分割多元接続（ＳＣ−ＦＤＭＡ）の何れかに基づき得る。
【０１５３】
さらに、いくつかの実施形態において、送信機１１０は、第３世代パートナーシッププロジェクトロングタームエボリューション（３ＧＰＰ  ＬＴＥシステム）内で動作するユーザ機器（ＵＥ）であり得、第１タイプの複数の同期信号は複数の１次サイドリンク同期信号を含み、第２タイプの複数の同期信号は複数の２次サイドリンク同期信号を含む。
【０１５４】
第１および第２同期信号を送信すべく、方法４００はいくつかの動作４０１−４０３を備え得る。しかしながら、説明される動作４０１−４０３の何れか、いくつか、または全ては、複数の異なる実施形態に従って、列挙により示されるものとは若干異なる時系列で実行されてよく、同時に実行されてよく、または、さらに、完全に逆の順序で実行されてもよいことに注意されたい。さらに、いくつかの動作は、複数の異なる実施形態に従って複数の代替的なやり方で実行されてよく、いくつかのそのような代替的なやり方は、いくつかの、ただし必ずしも全てではない、実施形態内においてのみ実行されてもよいことに注意されたい。方法４００は、以下の動作を備え得る。
動作４０１
【０１５５】
サブフレーム２００のどのＭ１個のシンボルｌｉにおいて、第１タイプの同期信号が送信されるべきかが決定される。
【０１５６】
いくつかの実施形態において、Ｍ１個のシンボルｌｉは、ｌｉ＋１＝ｌｉ＋１となるように、複数の後続のシンボルｌｉにおいて隣接して位置付けられると決定される。
【０１５７】
しかしながら、いくつかの実施形態においては、Ｍ１個のシンボルｌｉは、ｌｉ＋１≧ｌｉ＋Ｎ−３となるよう、互いに離れて位置付けられると決定され得る。
動作４０２
【０１５８】
Ｍ２個のシンボルｋｊは、いつ第２タイプの同期信号が送信されるべきかの計算に従って、サブフレーム２００の関連するシンボルｌｉからの１または複数の決定４０１されたシンボル距離に配置される。Ｍ２個のシンボルｋｊのそれぞれと、それぞれの関連するシンボルｌｉとの間の当該１または複数の決定されたシンボル距離は、サブフレーム２００中のＭ１個のシンボルｌｉの全てと、それらのそれぞれの関連するＭ２個のシンボルｋｊとの間で等しい。
【０１５９】
決定４０１されたＭ１個のシンボルｌｉと、関連するＭ２個のシンボルｋｊのそれぞれとの間の当該１または複数のシンボル距離は、シンボルｌｉ、ｋｊのサイクリックプレフィックスの後の第１時間インスタンスから決定４０１され得る。
【０１６０】
いくつかの実施形態において、Ｍ２個のシンボルｋｊのそれぞれと、それぞれの関連するシンボルｌｉとの間の当該１または複数の決定４０１されたシンボル距離の計算は、受信機１２０が知る１セットの整数オフセット値Δｊに基づき得、ｋｊ＝ｌｉ＋Δｊ，∀ｌｉを計算することにより成され得る。ここで、｜Δｊ｜＞０、（ｋｊ，ｌｉ）∈｛０，１，...，Ｎ−１｝である。
【０１６１】
いくつかの実施形態において、１セットの整数オフセット値Δｊは、｜Δ｜＝１、２および／または３であることを備え得る。
動作４０３
【０１６２】
第１タイプの同期信号は、サブフレーム２００の決定４０１されたＭ１個のシンボルｌｉにおいて送信され、第２タイプの同期信号は、サブフレーム２００の計算４０２されたＭ２個のシンボルｋｊにおいて送信される。
【０１６３】
いくつかの実施形態において、同期信号は、１または複数の中間にある他のノード１４０を介して、送信機１１０と受信機１２０との間の複数のホップによって送信され得る。
【０１６４】
図５は、サブフレーム２００の０≦ｉ≦（Ｍ１−１）であるＭ１個のシンボルｌｉにおいて第１タイプの同期信号を、および、サブフレーム２００の０≦ｊ≦（Ｍ２−１）であるＭ２個のシンボルｋｊにおいて第２タイプの同期信号を送信するよう構成される送信機１１０の実施形態を図示する。サブフレーム２００は、Ｎ≧Ｍ２≧Ｍ１≧２であるＮ個のシンボルを備える。
【０１６５】
さらに、図示される送信機１１０は、前に説明された動作４０１−４０３の何れか、いくつか、または全てに従って方法４００を実行するよう構成される。
【０１６６】
第１タイプの同期信号および第２タイプの同期信号は、デバイスツーデバイス（Ｄ２Ｄ）通信専用であり得、送信機１１０は非固定的なユニットを含み得る。
【０１６７】
さらに、送信機１１０は、第３世代パートナーシッププロジェクトロングタームエボリューション（３ＧＰＰ  ＬＴＥ）システム内で動作するユーザ機器（ＵＥ）を含み得、第１タイプの複数の同期信号は複数の１次サイドリンク同期信号を含み、第２タイプの複数の同期信号は複数の２次サイドリンク同期信号を含む。
【０１６８】
さらに付け加えると、第１タイプの同期信号および／または第２タイプの同期信号は、直交周波数分割多重（ＯＦＤＭ）または単一搬送波周波数分割多元接続（ＳＣ−ＦＤＭＡ）の何れかに基づき得る。
【０１６９】
明確さを高めるため、本明細書において説明される複数の実施形態を理解するために完全に不可欠というわけではない、送信機１１０の内部電子装置または他の構成要素は全て図５から省略されている。
【０１７０】
送信機１１０は、サブフレーム２００のどのシンボルｌｉにおいて第１タイプの同期信号が送信されるべきかを決定するよう構成され、加えて、Ｍ２個のシンボルｋｊのそれぞれを、関連するシンボルｌｉから１または複数の決定されたシンボル距離に配置することによって、サブフレーム２００のどのシンボルｋｊにおいて第２タイプの同期信号が送信されるべきかを計算するよう構成されるプロセッサー５２０を備える。Ｍ２個のシンボルｋｊのそれぞれと、それぞれの関連するシンボルｌｉとの間の当該１または複数の決定されたシンボル距離は、サブフレーム２００中のＭ１個のシンボルｌｉの全てについて等しい。
【０１７１】
いくつかの実施形態において、決定されたＭ１個のシンボルｌｉと、関連するＭ２個のシンボルｋｊのそれぞれとの間の当該１または複数のシンボル距離は、シンボルｌｉ、ｋｊのサイクリックプレフィックスの後の第１時間インスタンスから決定され得る。
【０１７２】
プロセッサー５２０は、受信機１２０が知る１セットの整数オフセット値Δｊに基づき、ｋｊ＝ｌｉ＋Δｊ，∀ｌｉを計算することによって、Ｍ２個のシンボルｋｊのそれぞれと、それぞれの関連するシンボルｌｉとの間の１または複数の決定されたシンボル距離を計算するようさらに構成され得る。ここで、｜Δｊ｜＞０、（ｋｊ，ｌｉ）∈｛０，１，...，Ｎ−１｝である。
【０１７３】
さらに、プロセッサー５２０は、｜Δ｜＝１、２および／または３となるように、１セットのオフセット値Δｊを確立するようさらに構成され得る。
【０１７４】
また、いくつかの実施形態によると、プロセッサー５２０は、ｌｉ＋１＝ｌｉ＋１となるように、Ｍ１個のシンボルｌｉを複数の後続のシンボルｌｉに隣接して位置付けると決定するようさらに構成され得る。
【０１７５】
さらに、いくつかの実施形態において、プロセッサー５２０は、ｌｉ＋１≧ｌｉ＋Ｎ−３となるように、Ｍ１個のシンボルｌｉを互いに離して位置付けると決定するようさらに構成され得る。
【０１７６】
いくつかの実施形態によると、Ｍ１個のシンボルｌｉは、等しいサイクリックプレフィックス長を有し得、および／または、Ｍ２個のシンボルｋｊは等しいサイクリックプレフィックス長を有し得る。
【０１７７】
さらに、シンボルｌｉ、ｋｊの数は、Ｍ１＝Ｍ２、且つ、１セットの整数オフセット値Δｊが１つのオフセット値を備えるよう、第１タイプおよび第２タイプの同期信号について同じである。
【０１７８】
いくつかの実施形態において、シンボルｋｊのＭ２の数は、シンボルｌｉのＭ１の数を超えてよく、１セットのオフセット値Δｊは、ｋｊ＝ｌｉ＋Δｊとなるように、Ｍ２個のシンボルｋｊのそれぞれと、それぞれの関連するシンボルｌｉとの間のそれぞれの決定されたシンボル距離を画定する複数の別個の整数オフセット値Δｊを備え得る。ここで、Δｊ∈｛０，１，...，Ｎ−１｝である。
【０１７９】
そのようなプロセッサー５２０は、処理回路の１または複数のインスタンス、すなわち、中央演算処理装置（ＣＰＵ）、処理ユニット、処理回路、プロセッサー、特定用途向け集積回路（ＡＳＩＣ）、マイクロプロセッサー、または、複数の命令を解釈し、実行し得る他の処理ロジック、を含み得る。したがって、本明細書において使用される表現「プロセッサー」は、例えば、上記に列挙された複数のもののうちの何れか、いくつか、または全てなどの複数の処理回路を含む処理回路を表し得る。
【０１８０】
送信機１１０はまた、サブフレーム２００の決定されたＭ１個のシンボルｌｉにおいて第１タイプの複数の同期信号を送信し、サブフレーム２００の計算されたＭ２個のシンボルｋｊにおいて第２タイプの複数の同期信号を送信するよう構成される送信回路５３０を備え得る。
【０１８１】
さらに付け加えると、いくつかの実施形態によると、送信機１１０はまた、無線インタフェースを介して他のネットワークノード１２０、１３０、１４０から、例えば、複数の同期信号などの複数の信号を受信するために構成される受信回路５１０を備え得る。
【０１８２】
さらに、いくつかの実施形態によると、送信機１１０は、少なくとも１つのメモリ５２５をさらに備え得る。オプションのメモリ５２５は、一時的または永続的に、データまたはプログラム、すなわち、命令のシーケンス、を格納すべく使用される物理デバイスを含み得る。いくつかの実施形態によると、メモリ５２５は、複数のシリコンベースのトランジスタを含む複数の集積回路を含み得る。さらに、メモリ５２５は揮発性または不揮発性であり得る。
【０１８３】
送信機１１０において実行されるべき上記説明された動作４０１−４０３のいくつかまたは全ては、動作４０１−４０３の機能の少なくともいくつかを実行するためのコンピュータプログラムプロダクトと共に、送信機１１０中の１または複数のプロセッサー５２０によって実施され得る。したがって、プログラムコードを含むコンピュータプログラムは、当該コンピュータプログラムが送信機１１０のプロセッサー５２０にロードされるとき、複数の同期信号を送信するための動作４０１−４０３の機能の何れか、少なくともいくつか、または全てに従って方法４００を実行し得る。
【０１８４】
さらに、コンピュータプログラムプロダクトは、サブフレーム２００の０≦ｉ≦（Ｍ１−１）であるＭ１個のシンボルｌｉにおける第１タイプの同期信号、および、サブフレーム２００の０≦ｊ≦（Ｍ２−１）であるＭ２個のシンボルｋｊを備える第２タイプの同期信号を送信すべく、送信機１１０による使用のための、プログラムコードを格納するコンピュータ可読記憶媒体を備え得る。サブフレーム２００は、Ｎ≧Ｍ２≧Ｍ１≧２であるＮ個のシンボルを備える。プログラムコードは、サブフレーム（２００）のどのＭ１個のシンボルｌｉにおいて第１タイプの同期信号が送信されるべきかを決定する段階４０１と、Ｍ２個のシンボルｋｊを、関連するシンボルｌｉからの１または複数の決定されたシンボル距離であって、サブフレーム２００中のＭ１個のシンボルｌｉの全てと、それらのそれぞれの関連するＭ２個のシンボルｋｊとの間で等しい、Ｍ２個のシンボルｋｊのそれぞれと、それぞれの関連するシンボルｌｉとの間の１または複数の決定されたシンボル距離、に配置することによって、サブフレーム２００のどのＭ２個のシンボルｋｊにおいて第２タイプの同期信号が送信されるべきかを計算する段階４０２と、サブフレーム２００の決定されたＭ１個のシンボルｌｉにおいて第１タイプの同期信号を、および、サブフレーム２００の計算されたＭ２個のシンボルｋｊにおいて第２タイプの同期信号を送信する段階４０３と、を備える方法４００を実行するための複数の命令を備える。
【０１８５】
上述されたコンピュータプログラムプロダクトは、プロセッサー５２０にロードされるとき、いくつかの実施形態に従って、例えば、動作４０１−４０３の少なくともいくつかを実行するためのコンピュータプログラムコードを伝送するデータ搬送波の形態で提供され得る。データ搬送波は、例えば、ハードディスク、ＣＤ  ＲＯＭディスク、メモリスティック、光記憶デバイス、磁気記憶デバイス、または、非一時的に機械可読データを保持し得るディスクもしくはテープなどの任意の他の適切な媒体であり得る。コンピュータプログラムプロダクトは、さらに、サーバ上にコンピュータプログラムコードとして提供され、例えば、インターネットまたはイントラネット接続を介して送信機１１０に遠隔でダウンロードされ得る。
【０１８６】
図６は、サブフレーム２００の０≦ｉ≦（Ｍ１−１）であるＭ１個のシンボルｌｉにおける第１タイプの同期信号、および、サブフレーム２００において受信される、Ｍ２個のシンボルｋｊにおける第２タイプの同期信号を検出するための、受信機１２０における使用のための、方法６００の実施形態を図示するフローチャートである。当該サブフレーム２００は、Ｎ≧Ｍ２≧Ｍ１≧２であるＮ個のシンボルを備える。
【０１８７】
いくつかの実施形態において、Ｍ１個のシンボルｌｉは、等しいサイクリックプレフィックス長を有し得、および／または、Ｍ２個のシンボルｋｊは等しいサイクリックプレフィックス長を有し得る。
【０１８８】
いくつかの実施形態において、シンボルｌｉ、ｋｊの数は、Ｍ１＝Ｍ２となり、且つ、１セットの整数オフセット値Δｊが１つのオフセット値を備え得るように、第１タイプおよび第２タイプの同期信号について同じであり得る。
【０１８９】
いくつかの実施形態において、シンボルｋｊのＭ２の数は、シンボルｌｉのＭ１の数を超えてよく、１セットのオフセット値Δｊは、ｋｊ＝ｌｉ＋Δｊとなるように、Ｍ２個のシンボルｋｊのそれぞれと、それぞれの関連するシンボルｌｉとの間のそれぞれの決定されたシンボル距離を画定する複数の別個の整数オフセット値Δｊを備え得る。ここで、Δｊ∈｛０，１，...，Ｎ−１｝である。
【０１９０】
第１タイプの同期信号および第２タイプの同期信号は、デバイスツーデバイス、Ｄ２Ｄ、通信専用であり得、受信機１２０は、例えば、移動局またはＵＥなどの非固定的なユニットを含み得る。
【０１９１】
また、複数の異なる実施形態においては、第１タイプの同期信号および／または第２タイプの同期信号は、直交周波数分割多重（ＯＦＤＭ）または単一搬送波周波数分割多元接続（ＳＣ−ＦＤＭＡ）の何れかに基づき得る。
【０１９２】
さらに、いくつかの実施形態において、受信機１２０は、第３世代パートナーシッププロジェクトロングタームエボリューション（３ＧＰＰ  ＬＴＥシステム）内で動作するユーザ機器（ＵＥ）であり得、第１タイプの複数の同期信号は複数の１次サイドリンク同期信号を含み、第２タイプの複数の同期信号は複数の２次サイドリンク同期信号を含む。
【０１９３】
第１および第２同期信号を受信すべく、方法６００はいくつかの動作６０１−６０４を備え得る。しかしながら、説明される動作６０１−６０４の何れか、いくつか、または全ては、複数の異なる実施形態に従って、列挙により示されるものとは若干異なる時系列で実行されてよく、同時に実行されてよく、または、さらに、完全に逆の順序で実行されてもよいことに注意されたい。さらに、いくつかの動作は、複数の異なる実施形態に従って複数の代替的なやり方で実行されてよく、いくつかのそのような代替的なやり方は、いくつかの、ただし必ずしも全てではない、実施形態内においてのみ実行されてもよいことに注意されたい。方法６００は、以下の動作を備え得る。
動作６０１
【０１９４】
サブフレーム２００のどのＭ１個のシンボルｌｉにおいて、第１タイプの同期信号が受信されるべきかが決定される。
【０１９５】
いくつかの実施形態において、Ｍ１個のシンボルｌｉは、ｌｉ＋１＝ｌｉ＋１となるように、複数の後続のシンボルｌｉにおいて隣接して位置付けられると決定される。
【０１９６】
しかしながら、いくつかの実施形態においては、Ｍ１個のシンボルｌｉは、ｌｉ＋１≧ｌｉ＋Ｎ−３となるよう、互いに離れて位置付けられると決定され得る。
動作６０２
【０１９７】
サブフレーム２００中のＭ１個のシンボルｌｉの全てについて等しい、Ｍ２個のシンボルｋｊのそれぞれと、それぞれの関連するシンボルｌｉとの間の１または複数の決定されたシンボル距離が確立される。
【０１９８】
決定６０１されたＭ１個のシンボルｌｉと、関連するＭ２個のシンボルｋｊのそれぞれとの間の１または複数のシンボル距離は、シンボルｌｉ、ｋｊのサイクリックプレフィックスの後の第１時間インスタンスから決定６０１され得る。
動作６０３
【０１９９】
さらに、サブフレーム２００のどのＭ２個のシンボルｋｊにおいて第２タイプの同期信号が受信されるべきかが計算される。
【０２００】
いくつかの実施形態において、当該計算は、受信機１２０が知る１セットの整数オフセット値Δｊに基づき得、ｋｊ＝ｌｉ＋Δｊ，∀ｌｉを計算することにより成され得る。ここで、｜Δｊ｜＞０、（ｋｊ，ｌｉ）∈｛０，１，...，Ｎ−１｝である。
【０２０１】
いくつかの実施形態において、１セットの整数オフセット値Δｊは、｜Δ｜＝１、２および／または３であることを備え得る。
動作６０４
【０２０２】
第２タイプのＭ２個の同期信号は、サブフレーム２００の、計算６０３されたＭ２個のシンボルｋｊにおいて検出される。
【０２０３】
図７は、サブフレーム２００の０≦ｉ≦（Ｍ１−１）であるＭ１個のシンボルｌｉにおいて、受信された同期信号を、０≦ｊ≦（Ｍ２−１）であるＭ２個のシンボルｋｊにおいて第２タイプの同期信号を検出するよう構成される受信機１２０の実施形態を図示している。それらの信号は、Ｎ≧Ｍ２≧Ｍ１≧２であるＮ個のシンボルを備えるサブフレーム２００において受信される。
【０２０４】
受信機１２０は、少なくともいくつかの動作６０１−６０４に従って、上記説明された方法６００を実行するよう構成される。
【０２０５】
第１タイプの同期信号および第２タイプの同期信号は、デバイスツーデバイス、Ｄ２Ｄ、通信専用であり得、受信機１２０は、例えば、移動局またはＵＥなどの非固定的なユニットを含み得る。
【０２０６】
また、複数の異なる実施形態においては、第１タイプの同期信号および／または第２タイプの同期信号は、直交周波数分割多重（ＯＦＤＭ）または単一搬送波周波数分割多元接続（ＳＣ−ＦＤＭＡ）の何れかに基づき得る。
【０２０７】
さらに、いくつかの実施形態において、受信機１２０は、第３世代パートナーシッププロジェクトロングタームエボリューション（３ＧＰＰ  ＬＴＥシステム）内で動作するユーザ機器（ＵＥ）であり得、第１タイプの複数の同期信号は複数の１次サイドリンク同期信号を含み、第２タイプの複数の同期信号は複数の２次サイドリンク同期信号を含む。
【０２０８】
明確さを高めるため、本明細書において説明される複数の実施形態を理解するために完全に不可欠というわけではない、受信機１２０の内部電子装置または他の構成要素は全て図６から省略されている。
【０２０９】
受信機１２０は、例えば、送信機１１０から、例えば、同期信号などの信号を受信するために構成される受信回路７１０を備える。受信信号、すなわち、同期信号は、サブフレーム２００のＭ１個のシンボルｌｉにおける第１タイプのものであり得る。
【０２１０】
しかしながら、受信回路７１０は、他のネットワークノード１４０または無線ネットワークノード１３０などの複数の送信エンティティから、無線インタフェースを介して様々なタイプの無線信号を受信するために構成され得る。
【０２１１】
加えて、受信機１２０は、シンボルｋｊと関連するシンボルｌｉとの間の１または複数の決定されたシンボル距離を確立するよう構成され、加えて、サブフレーム２００のどのＭ２個のシンボルｋｊにおいて第２タイプの同期信号が検出されるべきかを計算するよう構成されるプロセッサー７２０を備える。Ｍ２個のシンボルｋｊのそれぞれと、それぞれの関連するシンボルｌｉとの間の１または複数の決定されたシンボル距離は、サブフレーム２００中のＭ１個のシンボルｌｉの全てについて等しい。
【０２１２】
プロセッサー７２０はまた、１セットのオフセット値Δｊに基づき、ｋｊ＝ｌｉ＋Δｊ，∀ｌｉを計算することによって、Ｍ２個のシンボルｋｊのそれぞれと、それぞれの関連するシンボルｌｉとの間の１または複数の決定されたシンボル距離を計算するよう構成され得る。ここで、｜Δ｜＞０、（ｋｊ，ｌｉ）∈｛０，１，...，Ｎ−１｝である。
【０２１３】
そのようなプロセッサー７２０は、処理回路の１または複数のインスタンス、すなわち、中央演算処理装置（ＣＰＵ）、処理ユニット、処理回路、プロセッサー、特定用途向け集積回路（ＡＳＩＣ）、マイクロプロセッサー、または、複数の命令を解釈し、実行し得る他の処理ロジック、を含み得る。したがって、本明細書において使用される表現「プロセッサー」は、例えば、上記に列挙された複数のもののうちの何れか、いくつか、または全てなどの複数の処理回路を含む処理回路を表し得る。
【０２１４】
さらに、いくつかの実施形態において、受信機１２０はまた、例えば、同期信号を含む無線信号を送信するために構成される送信回路７３０を備え得る。
【０２１５】
さらに、いくつかの実施形態によると、受信機１２０は、少なくとも１つのメモリ７２５をさらに備え得る。オプションのメモリ７２５は、一時的または永続的に、データまたはプログラム、すなわち、命令のシーケンス、を格納すべく使用される物理デバイスを含み得る。いくつかの実施形態によると、メモリ７２５は、複数のシリコンベースのトランジスタを含む複数の集積回路を含み得る。さらに、メモリ７２５は揮発性または不揮発性であり得る。
【０２１６】
添付の複数の図面において図示された複数の実施形態の説明において使用された用語は、説明された方法４００、６００、送信機１１０、および／または受信機１２０に限定することを意図するものではない。添付の特許請求の範囲によって定義される本発明から逸脱することなく、様々な変更、置換および／または変形が施され得る。
【０２１７】
本明細書において使用されるとき、「および／または」という用語は、関連する列挙された項目のうちの１または複数のもののありとあらゆる組み合わせを含む。加えて、単数形「１つの（ａ）」、「１つの（ａｎ）」、および「その（ｔｈｅ）」は、「少なくとも１つの」と解釈されるべきである。したがって、明示的に別段に述べられない限り、複数の同じ種類のエンティティを含む場合もある。さらに、「含む（ｉｎｃｌｕｄｅｓ）」、「備える（ｃｏｍｐｒｉｓｅｓ）」、「含む（ｉｎｃｌｕｄｉｎｇ」、および／または「備える（ｃｏｍｐｒｉｓｉｎｇ）」という用語は、述べられた複数の特徴、動作、整数、段階、オペレーション、要素、および／または構成要素の存在を特定するが、１または複数の他の特徴、動作、整数、段階、オペレーション、要素、構成要素、および／またはそれらのグループの存在または追加を除外するものではないことが理解されるであろう。「または（ｏｒ）」という用語は、本明細書において使用されるとき、数学的なＯＲとして、すなわち、両立的選言として解釈されるべきであり、明示的に別段に述べられない限り、数学的な排他的ＯＲ（ＸＯＲ）として解釈されるべきではない。例えば、プロセッサーなどの単一のユニットは、特許請求の範囲に記載されるいくつかの項目の機能を実行し得る。特定の複数の手段が互いに異なる従属請求項において記載されているからといって、これらの手段の組み合わせが利点を得るために用いられ得ないということを示しているわけではない。コンピュータプログラムは、他のハードウェアと共に、またはその一部として供給される光記憶媒体または固体媒体などの適切な媒体上に格納／分散され得るが、コンピュータプログラムはまた、インターネット、または他の有線もしくは無線通信システムなどを介して他の形態で分散され得る。
［項目１］
サブフレーム（２００）の０≦ｉ≦（Ｍ１−１）であるＭ１個のシンボルｌｉ，において第１タイプの同期信号を、および、上記サブフレーム（２００）の０≦ｊ≦（Ｍ２−１）であるＭ２個のシンボルｋｊにおいて第２タイプの同期信号を送信するよう構成される送信機（１１０）であって、
上記サブフレーム（２００）のどのシンボルｌｉにおいて上記第１タイプの上記同期信号が送信されるべきかを決定するよう構成され、加えて、上記Ｍ２個のシンボルｋｊのそれぞれを、関連するシンボルｌｉからの１または複数の決定されたシンボル距離であって、上記サブフレーム（２００）中のＭ１個のシンボルｌｉの全てについて等しい、上記Ｍ２個のシンボルｋｊのそれぞれと、それぞれの関連するシンボルｌｉとの間の１または複数の決定されたシンボル距離に配置することによって、上記サブフレーム（２００）のどのシンボルｋｊにおいて上記第２タイプの上記同期信号が送信されるべきかを計算するよう構成されるプロセッサー（５２０）と、
上記サブフレーム（２００）の上記決定されたＭ１個のシンボルｌｉにおいて上記第１タイプの複数の上記同期信号を送信し、上記サブフレーム（２００）の上記計算されたＭ２個のシンボルｋｊにおいて上記第２タイプの複数の上記同期信号を送信するよう構成される送信回路（５３０）と、を備え、
上記サブフレーム（２００）は、Ｎ≧Ｍ２≧Ｍ１≧２であるＮ個のシンボルを備える、
送信機（１１０）。
［項目２］
上記決定されたＭ１個のシンボルｌｉと、上記関連するＭ２個のシンボルｋｊのそれぞれとの間の上記１または複数のシンボル距離は、上記シンボルｌｉ、ｋｊの上記サイクリックプレフィックスの後の上記第１時間インスタンスから決定される
項目１に記載の送信機（１１０）。
［項目３］
上記プロセッサー（５２０）は、受信機（１２０）が知る１セットの整数オフセット値Δｊに基づき、
ｋｊ＝ｌｉ＋Δｊ，∀ｌｉ
を計算することによって、上記Ｍ２個のシンボルｋｊのそれぞれと、上記それぞれの関連するシンボルｌｉ，との間の上記１または複数の決定されたシンボル距離を計算するよう構成され、
式中、｜Δｊ｜＞０、（ｋｊ，ｌｉ）∈｛０，１，...，Ｎ−１｝である、
項目１または２に記載の送信機（１１０）。
［項目４］
上記プロセッサー（５２０）は、
｜Δ｜＝１、２および／または３
となるように、上記１セットのオフセット値Δｊを確立するよう構成される、
項目３に記載の送信機（１１０）。
［項目５］
上記Ｍ１個のシンボルｌｉは、ｌｉ＋１＝ｌｉ＋１となるように、複数の後続のシンボルｌｉに隣接して位置付けられると決定される、
項目１から４の何れか一項に記載の送信機（１１０）。
［項目６］
上記Ｍ１個のシンボルｌｉは、ｌｉ＋１≧ｌｉ＋Ｎ−３となるように、互いに離れて位置付けられると決定される、
項目１から４の何れか一項に記載の送信機（１１０）。
［項目７］
上記Ｍ１個のシンボルｌｉは、等しいサイクリックプレフィックス長を有する、および／または、上記Ｍ２個のシンボルｋｊは等しいサイクリックプレフィックス長を有する、
項目１から６の何れか一項に記載の送信機（１１０）。
［項目８］
シンボルｌｉ、ｋｊの数は、Ｍ１＝Ｍ２となるように、上記第１タイプの同期信号および上記第２タイプの同期信号について同じであり、上記１セットの整数オフセット値Δｊは、１つのオフセット値を備える、
項目１から７の何れか一項に記載の送信機（１１０）。
［項目９］
シンボルｋｊのＭ２の数は、シンボルｌｉのＭ１の数を超えており、上記１セットのオフセット値Δｊは、
ｋｊ＝ｌｉ＋Δｊ
となるように、上記Ｍ２個のシンボルｋｊのそれぞれと、上記それぞれの関連するシンボルｌｉとの間の上記それぞれの決定されたシンボル距離を画定する複数の別個の整数オフセット値Δｊを備え、
式中、Δｊ∈｛０，１，...，Ｎ−１｝である、
項目１から７の何れか一項に記載の送信機（１１０）。
［項目１０］
上記第１タイプの同期信号及び上記第２タイプの同期信号は、デバイスツーデバイス、Ｄ２Ｄ、通信専用であり、上記送信機（１１０）は、非固定的なユニットを含む
項目１から９の何れか一項に記載の送信機（１１０）。
［項目１１］
上記送信機（１１０）は、第３世代パートナーシッププロジェクトロングタームエボリューション、３ＧＰＰ  ＬＴＥシステム、内で動作するユーザ機器、ＵＥ、であり、上記第１タイプの複数の上記同期信号は、複数の１次サイドリンク同期信号を含み、上記第２タイプの複数の上記同期信号は、複数の２次サイドリンク同期信号を含む、
項目１から１０の何れか一項に記載の送信機（１１０）。
［項目１２］
上記第１タイプの同期信号および／または上記第２タイプの同期信号は、直交周波数分割多重、ＯＦＤＭ、または、単一搬送波周波数分割多元接続、ＳＣ−ＦＤＭＡ、の何れかに基づく、
項目１から１１の何れか一項に記載の送信機（１１０）。
［項目１３］
サブフレーム（２００）の０≦ｉ≦（Ｍ１−１）であるＭ１個のシンボルｌｉ，における第１タイプの同期信号、および、上記サブフレーム（２００）中の０≦ｊ≦（Ｍ２−１）であるＭ２個のシンボルｋｊを備える第２タイプの同期信号を送信するための送信機（１１０）における方法（４００）であって、
上記サブフレーム（２００）のどのＭ１個のシンボルｌｉにおいて上記第１タイプの上記同期信号が送信されるべきかを決定する段階（４０１）と、
上記Ｍ２個のシンボルｋｊを、関連するシンボルｌｉからの１または複数の決定されたシンボル距離であって、上記サブフレーム（２００）中の上記Ｍ１個のシンボルｌｉの全てと、それらのそれぞれの関連するＭ２個のシンボルｋｊとの間で等しい、上記Ｍ２個のシンボルｋｊのそれぞれと、上記それぞれの関連するシンボルｌｉとの間の１または複数の決定されたシンボル距離に配置することによって、上記サブフレーム（２００）のどのＭ２個のシンボルｋｊにおいて上記第２タイプの上記同期信号が送信されるべきかを計算する段階（４０２）と、
上記サブフレーム（２００）の上記決定されたＭ１個のシンボルｌｉにおいて上記第１タイプの上記同期信号を、および上記サブフレーム（２００）の上記計算されたＭ２個のシンボルｋｊにおいて上記第２タイプの上記同期信号を送信する段階（４０３）と、を備え、
上記サブフレーム（２００）は、Ｎ≧Ｍ２≧Ｍ１≧２であるＮ個のシンボルを備える、
方法（４００）。
［項目１４］
サブフレーム（２００）の０≦ｉ≦（Ｍ１−１）であるＭ１個のシンボルｌｉ，において、受信された第１タイプの同期信号を、および、Ｎ≧Ｍ２≧Ｍ１≧２であるＮ個のシンボルを備えるサブフレーム（２００）において受信される、０≦ｊ≦（Ｍ２−１）であるＭ２個のシンボルｋｊにおいて第２タイプの同期信号を検出するよう構成される受信機（１２０）であって、
上記サブフレーム（２００）の上記Ｍ１個のシンボルｌｉにおいて上記第１タイプの上記同期信号を受信するよう構成される受信回路（７１０）と、
シンボルｋｊと関連するシンボルｌｉとの間の１または複数の決定されたシンボル距離を確立するよう構成され、加えて、上記サブフレーム（２００）のどのＭ２個のシンボルｋｊにおいて上記第２タイプの上記同期信号が検出されるべきかを計算するよう構成されるプロセッサー（７２０）と、を備え、上記Ｍ２個のシンボルｋｊのそれぞれと、上記それぞれの関連するシンボルｌｉとの間の上記１または複数の決定されたシンボル距離は、上記サブフレーム（２００）中の上記Ｍ１個のシンボルｌｉの全てについて等しい、
受信機（１２０）。
［項目１５］
上記プロセッサー（７２０）は、１セットのオフセット値Δｊに基づき、
ｋｊ＝ｌｉ＋Δｊ，∀ｌｉ
を計算することによって、上記Ｍ２個のシンボルｋｊのそれぞれと、上記それぞれの関連するシンボルｌｉとの間の上記１または複数の決定されたシンボル距離を計算するために構成され、
式中、｜Δ｜＞０、（ｋｊ，ｌｉ）∈｛０，１，...，Ｎ−１｝である、
項目１４に記載の受信機（１２０）。
［項目１６］
上記サブフレーム（２００）の０≦ｉ≦（Ｍ１−１）であるＭ１個のシンボルｌｉ，における第１タイプの同期信号、および、サブフレーム（２００）において受信される、Ｍ２個のシンボルｋｊにおける第２タイプの同期信号を検出するための、受信機（１２０）における方法（６００）であって、
上記サブフレーム（２００）のどのＭ１個のシンボルｌｉにおいて上記第１タイプの上記同期信号が受信されるかを決定する段階（６０１）と、
上記サブフレーム（２００）中の上記Ｍ１個のシンボルｌｉの全てについて等しい、上記Ｍ２個のシンボルｋｊのそれぞれと、上記それぞれの関連するシンボルｌｉとの間の１または複数の決定されたシンボル距離を確立する段階（６０２）と、
上記サブフレーム（２００）のどのＭ２個のシンボルｋｊにおいて上記第２タイプの上記同期信号が受信されるべきかを計算する段階（６０３）と、
上記サブフレーム（２００）の上記計算（６０３）されたＭ２個のシンボルｋｊにおいて上記第２タイプの上記Ｍ２個の上記同期信号を検出する段階（６０４）と、を備え、
上記サブフレーム（２００）は、Ｎ≧Ｍ２≧Ｍ１≧２であるＮ個のシンボルを備える
方法（６００）。
【図１Ａ】
2018078607.tif 000010
【図１Ｂ】
2018078607.tif 000011
【図１Ｃ】
2018078607.tif 000012
【図２Ａ】
2018078607.tif 000013
【図２Ｂ】
2018078607.tif 000014
【図２Ｃ】
2018078607.tif 000015
【図２Ｄ】
2018078607.tif 000016
【図２Ｅ】
2018078607.tif 000017
【図２Ｆ】
2018078607.tif 000018
【図２Ｇ】
2018078607.tif 000019
【図２Ｈ】
2018078607.tif 000020
【図２Ｉ】
2018078607.tif 000021
【図２Ｊ】
2018078607.tif 000022
【図２Ｋ】
2018078607.tif 000023
【図３Ａ】
2018078607.tif 000024
【図３Ｂ】
2018078607.tif 000025
【図４】
2018078607.tif 000026
【図５】
2018078607.tif 000027
【図６】
2018078607.tif 000028
【図７】
2018078607.tif 000029
【図８Ａ】
2018078607.tif 000030
【図８Ｂ】
2018078607.tif 000031
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
サブフレームの０≦ｉ≦（Ｍ１−１）であるＭ１個のシンボルｌｉにおいて第１タイプの同期信号を、および、前記サブフレームの０≦ｊ≦（Ｍ２−１）であるＭ２個のシンボルｋｊにおいて第２タイプの同期信号を送信する送信機であって、
前記サブフレームのどのＭ１個のシンボルｌｉにおいて前記第１タイプの前記同期信号が送信されるべきかを決定し、加えて、前記サブフレームのどのＭ２個のシンボルｋｊにおいて前記第２タイプの前記同期信号が送信されるべきかを決定するプロセッサーであって、前記Ｍ２個のシンボルｋｊのそれぞれは、関連するシンボルｌｉからの１または複数のシンボル距離に配置され、前記Ｍ２個のシンボルｋｊのそれぞれと、それぞれの関連するシンボルｌｉとの間の前記１または複数のシンボル距離は、前記サブフレーム中の前記Ｍ１個のシンボルｌｉの全てについて等しい、プロセッサーを備え、
前記プロセッサーはさらに、前記サブフレームの前記決定されたＭ１個のシンボルｌｉにおいて前記第１タイプの複数の前記同期信号を送信し、前記サブフレームの前記決定されたＭ２個のシンボルｋｊにおいて前記第２タイプの複数の前記同期信号を送信する送信回路を示すように構成され、
前記サブフレームは、Ｎ≧Ｍ２≧Ｍ１≧２であるＮ個のシンボルを備える、
送信機。
【請求項２】
前記決定されたＭ１個のシンボルｌｉと、前記関連するＭ２個のシンボルｋｊのそれぞれとの間の前記１または複数のシンボル距離は、前記シンボルｌｉ、ｋｊのサイクリックプレフィックスの後の第１時間インスタンスから決定される
請求項１に記載の送信機。
【請求項３】
前記Ｍ２個のシンボルｋｊのそれぞれと、前記それぞれの関連するシンボルｌｉとの間の前記１または複数のシンボル距離は、受信機が知る１セットの整数オフセット値Δｊに基づいて、
ｋｊ＝ｌｉ＋Δｊ，∀ｌｉ
となるように決定され、
式中、｜Δｊ｜＞０、（ｋｊ，ｌｉ）∈｛０，１，...，Ｎ−１｝である、
請求項１または２に記載の送信機。
【請求項４】
前記プロセッサーは、
｜Δ｜＝１、２、または３
となるように、前記１セットの整数オフセット値Δｊを確立する、
請求項３に記載の送信機。
【請求項５】
前記Ｍ１個のシンボルｌｉは、ｌｉ＋１＝ｌｉ＋１となるように、複数の後続のシンボルｌｉに隣接して位置付けられると決定される、
請求項１から４の何れか一項に記載の送信機。
【請求項６】
前記Ｍ１個のシンボルｌｉは、ｌｉ＋１≧ｌｉ＋Ｎ−３となるように、互いに離れて位置付けられると決定される、
請求項１から４の何れか一項に記載の送信機。
【請求項７】
前記Ｍ１個のシンボルｌｉは等しいサイクリックプレフィックス長を有する、または、前記Ｍ２個のシンボルｋｊは等しいサイクリックプレフィックス長を有する、または、前記Ｍ１個のシンボルｌｉは等しいサイクリックプレフィックス長を有し、且つ前記Ｍ２個のシンボルｋｊは等しいサイクリックプレフィックス長を有する、
請求項１から６の何れか一項に記載の送信機。
【請求項８】
シンボルｌｉ、ｋｊの数は、Ｍ１＝Ｍ２となるように前記第１タイプの同期信号および前記第２タイプの同期信号について同じであり、１セットの整数オフセット値Δｊは、１つのオフセット値を備える、
請求項１から７の何れか一項に記載の送信機。
【請求項９】
シンボルｋｊのＭ２の数は、シンボルｌｉのＭ１の数を超えており、１セットのオフセット値Δｊは、
ｋｊ＝ｌｉ＋Δｊ
となるように、前記Ｍ２個のシンボルｋｊのそれぞれと、前記それぞれの関連するシンボルｌｉとの間のそれぞれのシンボル距離を画定する複数の別個の整数オフセット値Δｊを備え、
式中、Δｊ∈｛０，１，...，Ｎ−１｝である、
請求項１から７の何れか一項に記載の送信機。
【請求項１０】
前記第１タイプの同期信号及び前記第２タイプの同期信号は、デバイスツーデバイス、Ｄ２Ｄ、通信専用であり、前記送信機は、非固定的なユニットを含む
請求項１から９の何れか一項に記載の送信機。
【請求項１１】
前記送信機は、第３世代パートナーシッププロジェクトロングタームエボリューション、３ＧＰＰ  ＬＴＥシステム、内で動作するユーザ機器、ＵＥ、であり、前記第１タイプの複数の前記同期信号は、複数の１次サイドリンク同期信号を含み、前記第２タイプの複数の前記同期信号は、複数の２次サイドリンク同期信号を含む、
請求項１から１０の何れか一項に記載の送信機。
【請求項１２】
前記第１タイプの同期信号および前記第２タイプの同期信号のうち少なくとも１つは、直交周波数分割多重、ＯＦＤＭ、または、単一搬送波周波数分割多元接続、ＳＣ−ＦＤＭＡ、の何れかに基づく、
請求項１から１１の何れか一項に記載の送信機。
【請求項１３】
サブフレームの０≦ｉ≦（Ｍ１−１）であるＭ１個のシンボルｌｉにおける第１タイプの同期信号、および、前記サブフレーム中の０≦ｊ≦（Ｍ２−１）であるＭ２個のシンボルｋｊを備える第２タイプの同期信号を送信するための送信機における方法であって、
前記サブフレームのどのＭ１個のシンボルｌｉにおいて前記第１タイプの前記同期信号が送信されるべきかを決定する段階と、
前記サブフレームのどのＭ２個のシンボルｋｊにおいて前記第２タイプの前記同期信号が送信されるべきかを決定する段階であって、前記Ｍ２個のシンボルｋｊのそれぞれは、関連するシンボルｌｉから１または複数のシンボル距離に配置され、前記Ｍ２個のシンボルｋｊのそれぞれと、それぞれの関連するシンボルｌｉとの間の前記１または複数のシンボル距離は、前記サブフレーム中の前記Ｍ１個のシンボルｌｉの全てと、それらのそれぞれの関連するＭ２個のシンボルｋｊとの間で等しい、決定する段階と、を備え、
前記サブフレームは、Ｎ≧Ｍ２≧Ｍ１≧２であるＮ個のシンボルを備える、
方法。
【請求項１４】
前記決定されたＭ１個のシンボルｌｉと前記関連するＭ２個のシンボルｋｊのそれぞれとの間の前記１または複数のシンボル距離は、前記シンボルｌｉ、ｋｊのサイクリックプレフィックスの後の第１時間インスタンスから決定される
請求項１３に記載の方法。
【請求項１５】
前記Ｍ１個のシンボルｌｉは、ｌｉ＋１＝ｌｉ＋１となるように、複数の後続のシンボルｌｉに隣接して位置付けられると決定される、
請求項１３または１４に記載の方法。
【請求項１６】
前記Ｍ１個のシンボルｌｉは等しいサイクリックプレフィックス長を有する、または、前記Ｍ２個のシンボルｋｊは等しいサイクリックプレフィックス長を有する、または、前記Ｍ１個のシンボルｌｉは等しいサイクリックプレフィックス長を有し、且つ前記Ｍ２個のシンボルｋｊは等しいサイクリックプレフィックス長を有する、
請求項１３から１５の何れか一項に記載の方法。
【請求項１７】
シンボルｌｉ、ｋｊの数は、Ｍ１＝Ｍ２となるように前記第１タイプおよび前記第２タイプの同期信号について同じであり、１セットの整数オフセット値Δｊは１つのオフセット値を備える、
請求項１３から１６の何れか一項に記載の方法。
【請求項１８】
前記サブフレームの前記決定されたＭ１個のシンボルｌｉにおいて前記第１タイプの前記同期信号を、および前記サブフレームの前記決定されたＭ２個のシンボルｋｊにおいて前記第２タイプの前記同期信号を送信する段階
を備える、請求項１３から１７の何れか一項に記載の方法。
【請求項１９】
サブフレームの０≦ｉ≦（Ｍ１−１）であるＭ１個のシンボルｌｉにおいて、受信された第１タイプの同期信号を、および、Ｎ≧Ｍ２≧Ｍ１≧２であるＮ個のシンボルを備える前記サブフレームにおいて受信される、０≦ｊ≦（Ｍ２−１）であるＭ２個のシンボルｋｊにおいて第２タイプの同期信号を検出する受信機であって、
前記サブフレームのどのＭ１個のシンボルｌｉにおいて前記第１タイプの前記同期信号が受信されるかを決定し、前記サブフレームのどのＭ２個のシンボルｋｊにおいて前記第２タイプの前記同期信号が検出されるべきかを決定するプロセッサーであって、１または複数のシンボル距離は、前記Ｍ２個のシンボルｋｊのそれぞれと、関連するシンボルｌｉとの間で確立され、前記Ｍ２個のシンボルｋｊのそれぞれと、それぞれの関連するシンボルｌｉとの間の前記１または複数のシンボル距離は、前記サブフレーム中の前記Ｍ１個のシンボルｌｉの全てについて等しい、プロセッサーを備える、
受信機。
【請求項２０】
前記決定されたＭ１個のシンボルｌｉと、前記関連するＭ２個のシンボルｋｊのそれぞれとの間の前記１または複数のシンボル距離は、前記シンボルｌｉ、ｋｊのサイクリックプレフィックスの後の第１時間インスタンスから決定される、
請求項１９に記載の受信機。
【請求項２１】
前記Ｍ１個のシンボルｌｉは、ｌｉ＋１＝ｌｉ＋１となるように、複数の後続のシンボルｌｉに隣接して位置付けられると決定される、
請求項１９または２０に記載の受信機。
【請求項２２】
前記Ｍ１個のシンボルｌｉは等しいサイクリックプレフィックス長を有する、または、前記Ｍ２個のシンボルｋｊは等しいサイクリックプレフィックス長を有する、または、前記Ｍ１個のシンボルｌｉは等しいサイクリックプレフィックス長を有し、且つ前記Ｍ２個のシンボルｋｊは等しいサイクリックプレフィックス長を有する、
請求項１９から２１の何れか一項に記載の受信機。
【請求項２３】
シンボルｌｉ、ｋｊの数は、Ｍ１＝Ｍ２となるように、前記第１タイプの同期信号および前記第２タイプの同期信号について同じであり、１セットの整数オフセット値Δｊは、１つのオフセット値を備える、
請求項１９から２２の何れか一項に記載の受信機。
【請求項２４】
サブフレームの０≦ｉ≦（Ｍ１−１）であるＭ１個のシンボルｌｉにおける第１タイプの同期信号、および、サブフレームにおいて受信される、Ｍ２個のシンボルｋｊにおける第２タイプの同期信号を検出するための、受信機における方法であって、
前記サブフレームのどのＭ１個のシンボルｌｉにおいて前記第１タイプの前記同期信号が受信されるかを決定する段階と、
前記サブフレームのどのＭ２個のシンボルｋｊにおいて前記第２タイプの前記同期信号が受信されるべきかを決定する段階であって、１または複数のシンボル距離は、前記Ｍ２個のシンボルｋｊのそれぞれと、関連するシンボルｌｉとの間で確立され、前記Ｍ２個のシンボルｋｊのそれぞれと、それぞれの関連するシンボルｌｉとの間の前記１または複数のシンボル距離は、前記サブフレーム中の前記Ｍ１個のシンボルｌｉの全てについて等しい、決定する段階と、
前記サブフレームの前記決定されたＭ２個のシンボルｋｊにおいて前記第２タイプの前記Ｍ２個の前記同期信号を検出する段階と、を備え、
前記サブフレームは、Ｎ≧Ｍ２≧Ｍ１≧２であるＮ個のシンボルを備える、
方法。
【請求項２５】
前記決定されたＭ１個のシンボルｌｉと前記関連するＭ２個のシンボルｋｊのそれぞれとの間の前記１または複数のシンボル距離は、前記シンボルｌｉ、ｋｊのサイクリックプレフィックスの後の第１時間インスタンスから決定される、
請求項２４に記載の方法。
【請求項２６】
前記Ｍ１個のシンボルｌｉは、ｌｉ＋１＝ｌｉ＋１となるように、複数の後続のシンボルｌｉに隣接して位置付けられると決定される、
請求項２４または２５に記載の方法。
【請求項２７】
前記Ｍ１個のシンボルｌｉは等しいサイクリックプレフィックス長を有する、または、前記Ｍ２個のシンボルｋｊは等しいサイクリックプレフィックス長を有する、または、前記Ｍ１個のシンボルｌｉは等しいサイクリックプレフィックス長を有し、且つ前記Ｍ２個のシンボルｋｊは等しいサイクリックプレフィックス長を有する、
請求項２４から２６の何れか一項に記載の方法。
【請求項２８】
シンボルｌｉ、ｋｊの数は、Ｍ１＝Ｍ２となるように、前記第１タイプの同期信号および前記第２タイプの同期信号について同じであり、１セットの整数オフセット値Δｊは、１つのオフセット値を備える、
請求項２４から２７の何れか一項に記載の方法。